(57)【要約】【課題】量り売りの商品について、効率的に処理をすることができる商品販売データ処理装置、商品販売データ処理システム、及びプログラムを提供する。【解決手段】店員による商品の登録及び客による商品の登録が可能な登録部と、商品の重量を計量する計量部と、前記登録部の操作主体を判別する判別部と、前記判別部による判別結果に基づいて、前記計量部の操作態様が異なる制御を行う制御部と、を備える。【選択図】図１
2020004118.tif 000002
【特許請求の範囲】
【請求項１】
店員による商品の登録及び客による商品の登録が可能な登録部と、
商品の重量を計量する計量部と、
前記登録部の操作主体を判別する判別部と、
前記判別部による判別結果に基づいて、前記計量部の操作態様が異なる制御を行う制御部と、
を備えることを特徴とする商品販売データ処理装置。
【請求項２】
前記登録部は、
動作モードとして、店員が商品の登録を行う第１モードと、客が商品の登録を行う第２モードと、を備えており、
前記判別部は、前記登録部の動作モードに基づいて、前記登録部の操作主体を判別する請求項１に記載の商品販売データ処理装置。
【請求項３】
前記計量部は、
店員側に配置された第１計量部と、
客側に配置された第２計量部と、
を備える請求項１に記載の商品販売データ処理装置。
【請求項４】
前記判別部は、第１計量部と第２計量部のいずれにおいて商品の計量が行われるかに基づいて、前記登録部の操作主体を判別する請求項２に記載の商品販売データ処理装置。
【請求項５】
商品名を表示するとともに、商品名が表示された商品を登録候補に指定する商品指定部として、店員が操作する店員側商品指定部と客が操作する客側商品指定部と、をさらに備え、
前記店員側商品指定部による商品の指定と前記客側商品指定部による商品の指定とによって、前記登録部の動作を異ならせる請求項１〜４のうちのいずれか１項に記載の商品販売データ処理装置。
【請求項６】
店員による商品の登録及び客による商品の登録が可能な複数の登録部と、
商品の重量を計量する計量部と、
前記登録部の操作主体を判別する判別部と、
前記判別部による判別結果に基づいて、前記計量部の操作態様が異なる制御を行う制御部と、
前記登録部によって登録された商品の精算を行う複数の精算部と、
を備えることを特徴とする商品販売データ処理システム。
【請求項７】
コンピュータを、
店員による商品の登録及び客による商品の登録が可能な登録手段、
前記登録手段の操作主体を判別する判別手段、
前記判別手段による判別結果に基づいて、商品の重量を計量する計量部の操作態様が異なる制御を行う制御手段、
として機能させるためのプログラム。
【発明の詳細な説明】
【技術分野】
【０００１】
本発明は、商品販売データ処理装置、商品販売データ処理システム、及びプログラムに関する。
【背景技術】
【０００２】
従来、単位重量当たりの料金が設定され、重量に応じて販売するいわゆる量り売りの商品がある。このため、計量手段から出力された商品の質量を入力させて、入力された質量に基づいて商品の登録を行う商品販売データ処理装置がある（例えば、特許文献１参照）。
【先行技術文献】
【特許文献】
【０００３】
【特許文献１】特開２０１７−１４６９１１号公報
【発明の概要】
【発明が解決しようとする課題】
【０００４】
この種の商品販売データ処理装置として、商品の登録を店員が行ったり客が行ったりできるものがある。このような商品販売データ処理装置では、計量手段によって商品の計量を行っても、店員と客とでは商品知識に相違があるので、入力に手間取ることがある。
【０００５】
本発明の課題は、量り売りの商品について、効率的に処理をすることができる商品販売データ処理装置、商品販売データ処理システム、及びプログラムを提供することである。
【課題を解決するための手段】
【０００６】
上述した課題を解決するために、本発明の一態様である商品販売データ処理装置は、店員による商品の登録及び客による商品の登録が可能な登録部と、商品の重量を計量する計量部と、前記登録部の操作主体を判別する判別部と、前記判別部による判別結果に基づいて、前記計量部の操作態様が異なる制御を行う制御部と、を備える。
【０００７】
上記構成によれば、量り売りの商品について、効率的に処理をすることができる。
【０００８】
上記商品販売データ処理装置において、前記登録部は、動作モードとして、店員が商品の登録を行う第１モードと、客が商品の登録を行う第２モードと、を備えており、前記判別部は、前記登録部の動作モードに基づいて、前記登録部の操作主体を判別するようにしてもよい。
【０００９】
上記構成によれば、登録主体を正確に判別できる。
【００１０】
上記商品販売データ処理装置において、前記計量部は、店員側に配置された第１計量部と、客側に配置された第２計量部と、を備えるようにしてもよい。
【００１１】
上記構成によれば、量り売りの商品について、効率的に処理をすることができる。
【００１２】
上記商品販売データ処理装置において、前記判別部は、第１計量部と第２計量部のいずれにおいて商品の計量が行われるかに基づいて、前記登録部の操作主体を判別するようにしてもよい。
【００１３】
上記構成によれば、登録主体を容易に判別できる。
【００１４】
上記商品販売データ処理装置において、商品名を表示するとともに、商品名が表示された商品を登録候補に指定する商品指定部として、店員が操作する店員側商品指定部と客が操作する客側商品指定部と、をさらに備え、前記店員側商品指定部による商品の指定と前記客側商品指定部による商品の指定とによって、前記登録部の動作を異ならせるようにしてもよい。
【００１５】
上記構成によれば、指定を要する特別な商品についても、効率的に処理をすることができる。
【００１６】
上述した課題を解決するために、本発明の他の態様である商品販売データ処理システムは、店員による商品の登録及び客による商品の登録が可能な複数の登録部と、商品の重量を計量する計量部と、前記登録部の操作主体を判別する判別部と、前記判別部による判別結果に基づいて、前記計量部の操作態様が異なる制御を行う制御部と、前記登録部によって登録された商品の精算を行う複数の精算部と、を備える。
【００１７】
上記構成によれば、量り売りの商品について、効率的に処理をすることができる。
【００１８】
上述した課題を解決するために、本発明の他の態様であるプログラムは、コンピュータを、店員による商品の登録及び客による商品の登録が可能な登録手段、前記登録手段の操作主体を判別する判別手段、前記判別手段による判別結果に基づいて、商品の重量を計量する計量部の操作態様が異なる制御を行う制御手段、として機能させるためのプログラムである。
【００１９】
上記構成によれば、量り売りの商品について、効率的に処理をすることができる。
【発明の効果】
【００２０】
以上のように、量り売りの商品について、効率的に処理をすることができる。
【図面の簡単な説明】
【００２１】
【図１】ＰＯＳシステムのネットワーク構成図である。
【図２】ＰＯＳ端末及び計量装置の設置例を示す図である。
【図３】ＰＯＳ端末及び計量装置の外観例を示す図である。
【図４】ＰＯＳ端末の構成例を示す図である。
【図５】ＰＯＳ端末の動作モードの概略を説明する図である。
【図６】ＰＯＳ端末の動作モードの概略を説明する図である。
【図７】ＰＯＳ端末の動作モードの概略を説明する図である。
【図８】ＰＯＳ端末における表示例である。
【図９】ＰＯＳ端末における表示例である。
【図１０】ＰＯＳ端末における表示例である。
【図１１】ＰＯＳ端末における表示例である。
【図１２】ＰＯＳ端末における表示例である。
【図１３】ＰＯＳ端末における表示例である。
【図１４】ＰＯＳ端末における表示例である。
【図１５】ＰＯＳ端末における表示例である。
【図１６】ＰＯＳ端末における表示例である。
【図１７】ＰＯＳ端末における表示例である。
【図１８】ＰＯＳ端末の動作の一例を示すフローチャートである。
【図１９】ＰＯＳ端末の動作の一例を示すフローチャートである。
【図２０】ＰＯＳ端末の動作の一例を示すフローチャートである。
【図２１】ＰＯＳ端末の動作の一例を示すフローチャートである。
【発明を実施するための形態】
【００２２】
図１は、本発明の一実施形態に係るＰＯＳ（Point Of Sales）システムのネットワーク構成図である。図１に示すＰＯＳシステム１は、３台のＰＯＳ端末２０（第１ＰＯＳ端末２０−１、第２ＰＯＳ端末２０−２、第３ＰＯＳ端末２０−３）と、ストアコントローラ（ストアコンピュータ、管理装置）１０を備え、夫々はＬＡＮ１１を介して通信可能に接続されている。
【００２３】
第１ＰＯＳ端末２０−１、第２ＰＯＳ端末２０−２、第３ＰＯＳ端末２０−３には、それぞれ第１計量装置３０−１、第２計量装置３０−２、第３計量装置３０−３が接続されている。以下、第１ＰＯＳ端末２０−１、第２ＰＯＳ端末２０−２、第３ＰＯＳ端末２０−３について特に区別しない場合には、ＰＯＳ端末２０と総称する。また、第１計量装置３０−１、第２計量装置３０−２、第３計量装置３０−３について特に区別しない場合には、計量装置３０と総称する。
【００２４】
また、ＰＯＳ端末２０には、店員側商品指定ボタン４１及び客側商品指定ボタン４２が接続されている。なお、店員側商品指定ボタン４１及び客側商品指定ボタン４２について特に区別しない場合には、商品指定ボタン４０と総称する。商品指定ボタン４０は、ＬＡＮ１１を介してＰＯＳ端末２０に接続されている。なお、ＰＯＳシステム１は、ＰＯＳ端末２０の状況（動作モード、処理状況等）を表示したり、ＰＯＳ端末２０を制御したりする監視端末（非図示）をさらに備えていてもよい。
【００２５】
ＰＯＳシステム１は、種々の店舗（コンビニストア、スーパーマーケット等）に導入可能である。また、商品の量り売りなどを行う売り場、例えば惣菜売り場を備える商店などに好適に導入可能である。
【００２６】
図２は、ＰＯＳ端末２０及び計量装置３０の設置例を示す図である。図２（Ａ）は、ＰＯＳ端末２０及び計量装置３０等を客側から見た斜視図である。図２（Ｂ）は、ＰＯＳ端末２０及び計量装置３０等を店員側から見た斜視図である。図２（Ａ）に示すように客側から見てＰＯＳ端末２０の右側にカウンタが置かれている。カウンタ上におけるＰＯＳ端末２０に近接した位置には、計量装置３０が設置されている。
【００２７】
図３は、ＰＯＳ端末２０及び計量装置３０の外観例を示す図である。図３（Ａ）は、ＰＯＳ端末２０及び計量装置３０を客側から見た斜視図である。図３（Ｂ）は、ＰＯＳ端末２０及び計量装置３０を店員側から見た斜視図である。図４は、ＰＯＳ端末２０の構成例を示す図である。図３及び図４において、同一部分には同一符号を付している。
【００２８】
以下、図３を参照しつつ、図４に示したＰＯＳ端末２０の構成例を説明する。ＰＯＳ端末２０は、ＣＰＵ２０１と、ＲＯＭ２０２と、ＲＡＭ２０３と、ハードディスク２０４と、客側表示部２０５と、客側スキャナ部２０６と、カード決済部２０８と、釣銭機２０９と、店員側表示部２１０と、キー操作部２１１と、店員側スキャナ部２１２と、印刷部２１３と、音声出力部２１４と、通信部２１５とを備える。これらは、バスを介して相互に通信可能である。なお、符号２１１ａについては後述する。
【００２９】
ＣＰＵ２０１は、中央演算処理装置であり、ＲＯＭ２０２に記憶されているプログラムを読み出して実行することにより、ＰＯＳ端末２０の動作を制御する。
ＲＯＭ２０２は、読み出し専用メモリであり、プログラムをはじめとしてＣＰＵ２０１が利用する各種の情報を記憶する。
【００３０】
ＲＡＭ２０３は、読み出し書き込みメモリであり、種々の情報を記憶する。例えば、ＲＡＭ２０３は、外部から取得した情報（例えば、ストアコントローラ１０から取得した商品マスタ等）や、処理において生成した情報（例えば、商品を登録する登録処理において生成した登録情報（登録データ）、買上商品を精算（決済）する精算処理において生成した精算情報等）を記憶する。
【００３１】
ハードディスク２０４は、種々の情報を記憶する。ハードディスク２０４は、例えば、ＲＯＭ２０２に代えて、ＣＰＵ２０１が実行するプログラム等を記憶してもよい。また、ＲＡＭ２０３に代えて、外部から取得した情報や、処理において生成した情報を記憶してもよい。
【００３２】
客側表示部２０５は、客用のタッチディスプレイであり、客に種々の情報を表示するとともに、客から種々の入力を受け付ける。
客側スキャナ部２０６は、客用のスキャナ部であり、各種の情報を光学的に読み取る。例えば、客側スキャナ部２０６は、商品に付されているバーコード（商品コード等）や、お会計券（登録商標）に印刷されているコード（バーコード、２次元コード等）を光学的に読み取る。客側スキャナ部２０６は、上記に加えて、品券類（商品券、クーポン券、優待券）や、各種カード（例えば、会員カード、ポイントカード等）に印刷されているコード（バーコード、２次元コード等）を読み取ってもよい。
【００３３】
なお、客側スキャナ部２０６は、客が商品を登録する際に用いられるが、客は他の方法によって商品を登録してもよい。例えば、客側表示部２０５に、商品に対応するプリセットキー（商品を注文するボタン）が表示されている場合、客は、当該プリセットキーを操作（押下）し、商品を登録してもよい。
【００３４】
カード決済部２０８は、各種カード（クレジットカード、交通系カード等のプリペイドカード、ポイントカード等）による決済機構である。カード決済部２０８は、カード認識部（読取部）や表示部や操作部を備える。カード認識部は、各種カードの情報を磁気的又は電気的に読み取る。例えば、クレジットカードは、例えば接触式のカードであり、カード決済部２０８の下側に設けられた図示しない挿入口から挿入され、カード決済部２０８の内部に設けられた磁気センサによって情報を読み取られる。また、例えば、交通系カード等のプリペイドカードは、例えば非接触式のＩＣカードであり、カード決済部２０８の表面に設けられたＩＣカードリーダライタによって情報を読み取られ、決済後の情報が書き込まれる。読み取られた情報は、買上商品の決済（精算）を用いられる。
【００３５】
なお、カード認識部は、今回の買上商品の決済（精算）に認識した情報を使用する場合（つまり、クレジットカードによるクレジット決済の場合、プリペイドカードによるプリペイドカード決済の場合、ポイントカードの保有ポイントを使用（消費）する場合等）に加えて、今回の買上商品の決済（精算）に認識した情報を使用しない場合（例えば、クレジットカードの提示による特典付与の場合、ポイントカードにポイントを付与する場合等）にも、各種カードを認識してもよい。なお、本実施形態のカード決済部２０８は、カード認識部（読取部）や表示部や操作部を備えるが、カード決済部２０８は、少なくともカード認識部を備えるものであればよい。また、本実施形態のカード認識部は、接触型のカード（ＩＣカード、磁気カード）及び非接触式のカード（ＩＣカード）に対応するものであるが、接触型または非接触型のカードにのみ対応するものであってもよい。
【００３６】
釣銭機２０９（現金決済部）は、現金による決済機構であり、紙幣や硬貨の投入口、紙幣や硬貨の排出口を有し、投入口への投入金額を算出し、投入金額と買上金額の差分である釣銭金額を算出し、釣り銭を排出口から排出する。なお、当該釣銭機２０９は、客側に向けられており、客が操作するものである。なお、紙幣や硬貨が投入口に投入された場合にはセンサによって検出（投入があった旨の検出、金種別の枚数の検出等）される。
【００３７】
店員側表示部２１０は、店員用のタッチディスプレイであり、店員に種々の情報を表示するとともに、店員から種々の入力を受け付ける。
キー操作部２１１は、各種のキー（ハードウェアキー、ボタン）から構成され、店員から種々の入力を受け付ける。
店員側スキャナ部２１２は、店員用のスキャナ部であり、各種の情報を光学的に読み取る。例えば、店員側スキャナ部２１２は、商品に付されているバーコードや、店員の名札に付された店員コードを光学的に読み取る。店員側スキャナ部２１２は、上記に加えて、お会計券に印刷されているコードや、品券類や、各種カードに印刷されているコードを読み取ってもよい。
【００３８】
なお、店員側スキャナ部２１２は、店員が商品を登録する際に用いられるが、店員は他の方法によって商品を登録してもよい。例えば、キー操作部２１１に、商品に対応するキー（例えば、スポーツ新聞に対応するキー等）が配置されている場合、店員は、当該キーを操作（押下）し、当該商品を登録してもよい。また、店員側表示部２１０に、商品に対応するプリセットキーが表示されている場合、店員は、当該プリセットキーを操作し、当該商品を登録してもよい。
【００３９】
印刷部２１３は、各種媒体（レシート、お会計券等）を印刷、発行する。印刷部２１３は、店員側から客側、客側から店員側に向き（媒体発行口の方向）を回転自在に変更である。印刷部２１３の向きは、手動で変更してもよいし、例えば動作モード（詳細は後述）が切り替わることに基づいて自動的に変更（メカ的に制御等）してもよい。なお、印刷部２１３の向きの正誤をセンサなどで検出してもよい。なお、動作モードが切り替わることを動作モードが移行するとも言う。
【００４０】
音声出力部２１４は、音声を出力する。例えば、音声出力部２１４は、音声ガイダンス等を出力する。
通信部２１５は、他端末（他のＰＯＳ端末２０、ストアコントローラ１０）との間において情報を送受信する。
【００４１】
計量装置３０は、図２及び図３に示すように、店員側計量装置３１と客側計量装置３２を備えている。計量装置３０（店員側計量装置３１及び客側計量装置３２）は、計量部に載置された商品の重量を計量する装置である。計量装置３０（店員側計量装置３１及び客側計量装置３２）では、計量部に載置された載置物全体の重量を計測する。このため、例えば量り売り商品を容器に収容して計量部に載置された場合には、計量装置３０（店員側計量装置３１及び客側計量装置３２）は、商品の重量と容器の重量を加算した重量を計量する。計量装置３０（店員側計量装置３１及び客側計量装置３２）は、計量した商品の重量に関する重量情報をＰＯＳ端末２０に送信する。
【００４２】
商品指定ボタン４０（図１に示す店員側商品指定ボタン４１及び客側商品指定ボタン４２）は、例えば、ＰＯＳ端末２０におけるカウンタが設けられた側の反対側に設置されたアイスクリームケースに設けられている。アイスクリームケースには、複数種類の商品（アイスクリーム）が収容されている。これらの商品は、客のリクエストに応じて店員がスクレーパでアイスを掻き取り、コーンやカップなどに盛り付けて客に手渡す形式等で販売される。アイスクリームケースの店員側には、店員側商品指定ボタン４１が設けられ、客側には客側商品指定ボタン４２が設けられている。これらの店員側商品指定ボタン４１及び客側商品指定ボタン４２は、それぞれ複数種類の商品ごとに設けられている。商品指定ボタン４０が操作されると、商品指定ボタン操作信号が商品指定ボタン４０からＰＯＳ端末２０に送信される。
【００４３】
（各動作モードの概要）
続いて、ＰＯＳ端末２０の動作モードについて説明する。ＰＯＳ端末２０は、複数の動作モードを有する。具体的には、ＰＯＳ端末２０は、少なくとも３種類の動作モード（通常モード、フルセルフモード、セミセルフモード）を有する。
【００４４】
なお、上述の動作モードは、通常業務中の動作モード（登録処理及び精算処理に係る動作モード）であり、売上や在高等を集計、照会等する集計モード、店員や保守員等が設定作業や保守作業を行う際のメンテナンスモード、新人がトレーニングを行う際のトレーニングモード等は含まない。
【００４５】
また、以下の説明において、上述の動作モードの分類（通常モード、フルセルフモード、セミセルフモード）とは別の切り口として、ＰＯＳ端末２０が、登録処理を実行するモードを登録モード、精算処理を実行するモードを会計モードと称する場合がある。特に、セミセルフモードには、登録処理専用となる登録専用モードと、精算処理専用となる会計専用モードと、がある。
【００４６】
図５〜図７は、ＰＯＳ端末２０の動作モードの概略を説明する図である。図５は、通常モードの概略を説明する図である。図５（Ａ）は通常モードにおける処理（登録処理、精算処理）の流れや人（店員、客）の動作を表した模式図であり、図５（Ｂ）は通常モードにおけるＰＯＳ端末２０の動作の基本的な流れを示したフローチャートである。図６は、フルセルフモードの概略を説明する図である。図６（Ａ）はフルセルフモードにおける処理（登録処理、精算処理）の流れや人（客）の動作を表した模式図であり、図６（Ｂ）はフルセルフモードにおけるＰＯＳ端末２０の動作の基本的な流れを示したフローチャートである。図７は、セミセルフモードの概略を説明する図である。図７（Ａ）はセミセルフモードにおける処理（登録処理、精算処理）の流れや人（客）の動作を表した模式図であり、図７（Ｂ）（Ｃ）はセミセルフモードにおけるＰＯＳ端末２０の動作の基本的な流れを示したフローチャートである。
【００４７】
（通常モード）
通常モードは、図５（Ａ）に示すように、店員側にて登録処理を実行し、客側にて精算処理を実行する動作モードである。すなわち、図５（Ｂ）に示すように、通常モードのＰＯＳ端末２０は、店員側が登録モードになり、客側が会計モードになる。つまり、通常モードのＰＯＳ端末２０は、登録処理〜精算処理の全体を通して見た場合、登録と会計の両方を行う登録会計モードとして動作する。
【００４８】
通常モードの場合、店員は、客の買上商品を店員側（店員側スキャナ部２１２、店員側表示部２１０、キー操作部２１１）にて登録する。つまり、ＰＯＳ端末２０は、店員の操作（店員側スキャナ部２１２によるスキャン、店員側表示部２１０へのタッチ、キー操作部２１１の操作）により、買上商品の登録処理を実行する（図５（Ａ）の上段）。
【００４９】
店員による登録処理が完了した場合、客は、店員側表示部２１０において買上商品の合計金額を確認し、釣銭機２０９に貨幣（現金）を投入、または、カード決済部２０８を操作し、精算する（図５（Ａ）の下段）。つまり、ＰＯＳ端末２０は、客の操作等（釣銭機２０９への現金の投入、カード決済部２０８の操作）により、精算処理を実行する（図５（Ａ）の下段）。
【００５０】
つまり、通常モードでは、図５（Ｂ）に示すように、初めは店員側において、商品がスキャン等され（ステップＳ１０：ＹＥＳ）、商品を登録する（ステップＳ１１）。小計キー（例えば、店員側表示部２１０に表示された小計キー、または、キー操作部２１１に配置された小計キー等）の押下後は（ステップＳ３０：ＹＥＳ）、客側において、例えば釣銭機２０９により精算が行われ（ステップＳ５０）、処理が完了する。なお、ステップＳ３０に小計キーは、登録処理を完了させるための操作キーであり、小計ボタン、登録完了キー、登録完了ボタン、お会計キー、お会計ボタンなどと称する場合もある。
【００５１】
なお、客は、店員による登録処理が完了する迄（合計金額が確定する迄）、待機していてもよいが、登録処理が完了する前に釣銭機２０９に現金を投入してもよい。つまり、ＰＯＳ端末２０は、登録処理中において入金を受付可能である（図５（Ａ）の上段）。
【００５２】
また、客は、登録処理が完了する前に、支払方法（支払種別、決済方法、決済種別とも称する）を選択してもよい。つまり、ＰＯＳ端末２０は、登録処理中において支払方法の選択を受付可能である（詳細は後述する）。
【００５３】
また、店員は、客による精算が完了する迄（客がお釣りやレシートを取る迄）、待機していてもよいが、次の客の買上商品を登録してもよい。つまり、ＰＯＳ端末２０は、精算処理中において次客の買上商品を登録可能である（図５（Ａ）の下段）。また、店員は、客による精算中に不在であってもよい（図５（Ａ）の下段）。つまり、当該客の精算中には、当該客の応対を終えてもよい。
【００５４】
また、ＰＯＳ端末２０は、お釣りがある場合には、お釣りの取り忘れを防止するため、釣銭機２０９による釣銭・釣札の払出しを制御し、客が釣銭・釣札を取り除いたことをセンサ等で認識した上で、印刷部２１３によるレシートの発行を制御してもよい。他の動作モードにおいても同様である。
【００５５】
また、通常モードでは、上述したような、店員側にて登録処理を実行し、該登録処理において生成した登録情報を用いて自端末の客側にて精算処理を実行する処理（図５参照）に加えて、店員側にて登録処理を実行し、該登録処理において生成した登録情報を他端末（精算処理を実行可能な他端末。例えば、他のＰＯＳ端末２０）に送信（ＬＡＮ１１を介して、他端末に直接的に送信、又は、ストアコントローラ１０や監視端末（非図示）経由して他端末に送信。以下、同様）する処理や、該登録処理において生成した登録情報等をコード（バーコード、２次元コード等）化して媒体に印刷し、お会計券として発行する処理についても実行可能である。つまり、通常モードのＰＯＳ端末２０は、自端末において商品を登録して自端末において精算する機能に加え、自端末において商品を登録して他端末において精算させる機能も有する。
【００５６】
上述した、自端末において商品を登録して他端末において精算させる機能は、後述するセミセルフモードにおける登録専用モードの本来の機能である。セミセルフモードは、セミセルフモード（登録専用モード）のＰＯＳ端末２０は、自端末で商品を登録して他端末にて精算させる機能を有する。具体的には、セミセルフモード（登録専用モード）のＰＯＳ端末２０は、店員側にて登録処理を実行し、該登録処理において生成した登録情報を他端末に送信する（又は、該登録処理において生成した登録情報等をコード化して媒体に印刷し、お会計券として発行する）。セミセルフモード（会計専用モード）のＰＯＳ端末２０は、他端末で登録された商品を精算する機能を有する。具体的には、セミセルフモード（会計専用モード）のＰＯＳ端末２０は、セミセルフモード（登録専用モード）のＰＯＳ端末２０から送信された登録情報を受信し（又は、セミセルフモード（登録専用モード）のＰＯＳ端末２０において発行されたお会計券を読み取り）、精算処理を実行する。
【００５７】
なお、通常モードのＰＯＳ端末２０は、セミセルフモード（登録専用モード）のＰＯＳ端末２０と同様、自端末で商品を登録して他端末にて精算させる機能を有するが、フルセルフモードのＰＯＳ端末２０（通常モードのＰＯＳ端末２０も同様）は、セミセルフモード（会計専用モード）のＰＯＳ端末２０と同様、他端末で登録された商品を精算する機能を有していてもよい。つまり、フルセルフモードのＰＯＳ端末２０や通常モードのＰＯＳ端末２０は、他端末（セミセルフモード（登録専用モード）のＰＯＳ端末２０、通常モードのＰＯＳ端末２０等）から登録情報を受信し（又は、お会計券を読み取り）、精算処理を実行してもよい。
【００５８】
（フルセルフモード）
フルセルフモードは、図６（Ａ）に示すように、客側にて登録処理を実行し、客側にて精算処理を実行する動作モードである。すなわち、図６（Ｂ）に示すように、フルセルフモードのＰＯＳ端末２０は、客側が登録モードにも会計モードにもなる。つまり、フルセルフモードのＰＯＳ端末２０は、登録処理〜精算処理の全体を通して見た場合、登録と会計の両方を行う登録会計モードとして動作する。
【００５９】
フルセルフモードの場合、客は、自身の買上商品を客側（客側スキャナ部２０６、客側表示部２０５）にて登録する。つまり、ＰＯＳ端末２０は、客の操作（客側スキャナ部２０６によるスキャン、客側表示部２０５へのタッチ）により、買上商品の登録処理を実行する（図６（Ａ）の上段）。
【００６０】
登録処理が完了した場合、客は、客側表示部２０５において買上商品の合計金額を確認し、釣銭機２０９に現金を投入、または、カード決済部２０８を操作し、精算する（図６（Ａ）の下段）。つまり、ＰＯＳ端末２０は、客の操作等（釣銭機２０９への現金の投入、カード決済部２０８の操作）により、精算処理を実行する（図６（Ａ）の下段）。
【００６１】
つまり、フルセルフモードでは、図６（Ｂ）に示すように、客側において、商品がスキャン等され（ステップＳ２０：ＹＥＳ）、商品を登録する（ステップＳ２１）。登録完了キー（例えば、客側表示部２０５に表示された登録完了キー等）の押下後は（ステップＳ４０：ＹＥＳ）、客側において、例えば釣銭機２０９により精算が行われ（ステップＳ５０）、処理が完了する。なお、ステップＳ４０に係る登録完了キーは、登録処理を完了させるための操作キーであり、登録完了ボタン、小計キー、小計ボタン、お会計キー、お会計ボタンなどと称する場合もある。
【００６２】
なお、フルセルフモードは、上述したように、客側にて登録処理も精算処理も実行するが、店員側は何もできないという訳ではない。つまり、ＰＯＳ端末２０は、フルセルフモードで動作しているときであっても、例えば、店員側スキャナ部２１２にて店員コードのスキャンし、各種の情報を表示したり、商品を登録したりすることが可能である。なお、店員側及び客側の両側にて登録処理を実行している状態（動作モード）を、ダブルスキャンモードと称する場合もある。
【００６３】
（セミセルフモード）
セミセルフモードは、２台以上のＰＯＳ端末２０による動作モードであって、図７（Ａ）に示すように、少なくとも１台のＰＯＳ端末２０（図７の例では第１ＰＯＳ端末２０−１）の店員側にて登録処理を実行し、他の１台のＰＯＳ端末２０（図７の例では第２ＰＯＳ端末２０−２及び第３ＰＯＳ端末２０−３のうちの１台）の客側にて精算処理を実行する動作モードである。即ち、セミセルフモードの場合、１台以上（図７の例では図７（Ｂ）に示すように第１ＰＯＳ端末２０−１の１台）が登録専用モードになり、他の１台以上（図７の例では図７（Ｃ）に示すように第２ＰＯＳ端末２０−２及び第３ＰＯＳ端末２０−３の２台）が会計専用モードになる。
【００６４】
セミセルフモードの場合、店員は、登録専用モードの第１ＰＯＳ端末２０−１において、客の買上商品を店員側（店員側スキャナ部２１２、店員側表示部２１０、キー操作部２１１）にて登録する。つまり、第１ＰＯＳ端末２０−１は、店員の操作（店員側スキャナ部２１２、店員側表示部２１０、キー操作部２１１等の操作）により、買上商品の登録処理を実行する（図７（Ａ）の上段）。
【００６５】
店員による登録処理が完了した場合、客は、会計専用モードの第２ＰＯＳ端末２０−２に移動し、店員側表示部２１０において買上商品の合計金額を確認し、釣銭機２０９に貨幣を投入、または、カード決済部２０８を操作し、精算する（図７（Ａ）の下段）。つまり、第２ＰＯＳ端末２０−２は、客の操作等（釣銭機２０９への貨幣の投入、カード決済部２０８の操作）により、精算処理を実行する（図７（Ａ）の下段）。
【００６６】
登録専用モードのＰＯＳ端末２０（図７の例では第１ＰＯＳ端末２０−１）において登録処理が完了した場合、客は、登録専用モードのＰＯＳ端末２０から会計専用モードのＰＯＳ端末２０（図７の例では第２ＰＯＳ端末２０−２）に移動するが、移動先のＰＯＳ端末２０（第２ＰＯＳ端末２０−２）には、登録処理を行ったＰＯＳ端末２０（第１ＰＯＳ端末２０−１）精算処理に必要な情報（登録情報等）が供給される。
【００６７】
登録専用モードのＰＯＳ端末２０（図７の例では第１ＰＯＳ端末２０−１）から会計専用モードのＰＯＳ端末２０（図７の例では第２ＰＯＳ端末２０−２）への精算処理に必要な情報の供給方法としては、登録専用モードのＰＯＳ端末２０から会計専用モードのＰＯＳ端末２０に精算処理に必要な情報を送信（ストアコントローラ１０を介して送信してもよい。以下同様）する方法や、登録専用モードのＰＯＳ端末２０において媒体（精算処理に必要な情報を取得するためのバーコード等が印刷された媒体）を発行する方法がある。
【００６８】
なお、移動先のＰＯＳ端末２０（会計専用モードのＰＯＳ端末２０のうち精算処理を実行させるＰＯＳ端末２０）は、登録専用モードのＰＯＳ端末２０において指定してもよい。あるいは、登録専用モードのＰＯＳ端末２０において媒体（精算処理に必要な情報を取得するためのバーコード等が印刷された媒体）を発行し、当該媒体を読み取らせた会計専用モードのＰＯＳ端末２０を移動先のＰＯＳ端末２０としてもよい。
【００６９】
つまり、セミセルフモードでは、はじめは、登録専用モードのＰＯＳ端末２０（第１ＰＯＳ端末２０−１）の店員側において商品を登録する。例えば、図７（Ｂ）に示すように、店員側スキャナ部２１２のスキャン等により（ステップＳ１０：ＹＥＳ）、商品を登録する（ステップＳ１１）。小計キー（例えば、店員側表示部２１０に表示された小計キー、又は、キー操作部２１１に配置された小計キー等）の押下後に（ステップＳ３０：ＹＥＳ）、例えば会計専用モードのＰＯＳ端末２０（第２ＰＯＳ端末２０−２）が指定されると（ステップＳ３１：ＹＥＳ）、指定されたＰＯＳ端末２０に登録情報が送信され（ステップＳ３２）、処理が完了する。
【００７０】
なお、図７（Ｂ）の例では、商品登録の終了時にはまずは小計キーを押下し、続いて（小計キーの押下後に）、ＰＯＳ端末２０を指定するといった処理手順であるが、商品登録の終了時に、直接（小計キーを押下せずに）、ＰＯＳ端末２０を指定するといった処理手順であってもよい。後者の場合、画面上に小計キーを表示しなくてもよい。
【００７１】
続いて、図７（Ｃ）に示すように、登録専用モードのＰＯＳ端末２０（第２ＰＯＳ端末２０−２）によって指定されたＰＯＳ端末２０（第２ＰＯＳ端末２０−２）は、登録情報の受信後（ステップＳ４９：ＹＥＳ）、客側において、例えば釣銭機２０９により精算が行われ（ステップＳ５０）、処理が完了する。
【００７２】
なお、店員は、登録情報を送信した後（若しくは媒体を発行した後）は、次の客の買上商品を登録可能である（図７（Ａ）の下段）。また、店員は、登録情報を送信した後は、不在であってもよい（図７（Ａ）の下段）。
【００７３】
なお、図７の例では、会計専用モードの第２ＰＯＳ端末２０−２は、登録専用モードの第１ＰＯＳ端末２０−１において登録された商品の登録情報を用いて精算処理を実行している。つまり、会計専用モードの第２ＰＯＳ端末２０−２が精算処理に用いる登録情報は、第１ＰＯＳ端末２０−１が登録専用モードとして動作しているときに登録した商品の登録情報である。しかしながら、会計専用モードの第２ＰＯＳ端末２０−２に登録情報を送信可能であれば（若しくはお会計券（登録商標。以下、同様）を発行可能であれば）、会計専用モードの第２ＰＯＳ端末２０−２が精算処理に用いる登録情報は、必ずしも、第１ＰＯＳ端末２０−１が登録専用モードとして動作しているときに登録した商品の登録情報でなくてもよい。
【００７４】
一例として、会計専用モードの第２ＰＯＳ端末２０−２が精算処理に用いる登録情報は、第１ＰＯＳ端末２０−１が通常モードとして動作しているときに登録した商品の登録情報であってもよい。つまり、会計専用モードの第２ＰＯＳ端末２０−２は、第１ＰＯＳ端末２０−１が通常モードとして動作しているときに登録した商品の登録情報を用いて精算処置を実行してもよい。
【００７５】
なお、第１ＰＯＳ端末２０−１の店員側において登録処理を終了したとき（登録情報を送信しようとするときやお会計券を発行しようとするとき）に、客側において精算の操作（釣銭機２０９への貨幣の投入、カード決済部２０８の操作）が既に開始されていた場合には、登録情報の送信若しくはお会計券の発行を禁止してもよいし、精算の操作をキャンセルしてもよい。
【００７６】
また、図７の例では、第２ＰＯＳ端末２０−２は、会計専用モードとして動作しているときに、登録情報を受信し（若しくはお会計券を読み取り）、精算処理を実行している。しかしながら、登録情報を受信した後（若しくはお会計券を読み取った後）に精算処理が実行可能であれば、第２ＰＯＳ端末２０−２が登録情報を受信する（若しくはお会計券を読み取る）ときの動作モードは、必ずしも、会計専用モードでなくてもよい。
【００７７】
一例として、第２ＰＯＳ端末２０−２は、フルセルフモードで動作しているときに、他端末（例えば、第１ＰＯＳ端末２０−１）から登録情報を受信し、他端末から受信した登録情報を用いて精算処理を実行してもよい。また、第２ＰＯＳ端末２０−２は、フルセルフモードで動作しているときに、他端末（例えば、第１ＰＯＳ端末２０−１）において発行されたお会計券を読み取り、他端末から読み取ったお会計券から得られる登録情報を用いて精算処理を実行してもよい。
【００７８】
第２ＰＯＳ端末２０−２は、他端末から受信した登録情報を用いて精算処理を実行する前にフルセルフモードから会計専用モードに移行する（会計専用モードの精算処置として他端末から受信した登録情報を処理する）。また、第２ＰＯＳ端末２０−２は、他端末において発行されたお会計券を用いて精算処理を実行する前にフルセルフモードから会計専用モードに移行する（会計専用モードの精算処置として他端末において発行されたお会計券に基づく登録情報を処理する）。
【００７９】
なお、第２ＰＯＳ端末２０−２は、他端末から受信した登録情報を用いて精算処理を実行する前にフルセルフモードから会計専用モードに移行しなくてもよい（フルセルフモードの精算処置として他端末から受信した登録情報を処理してもよい）。また、第２ＰＯＳ端末２０−２は、他端末において発行されたお会計券を用いて精算処理を実行する前にフルセルフモードから会計専用モードに移行しなくてもよい（フルセルフモードの精算処置として他端末において発行されたお会計券に基づく登録情報を処理してもよい）。これらの場合、複数のＰＯＳ端末２０間でデータの送受信を行い、複数のＰＯＳ端末の間で登録精算の処理等を行うようにしてもよい。
【００８０】
（動作モードの報知）
各ＰＯＳ端末２０は、自端末の現在の動作モードを報知してもよい。例えば、各ＰＯＳ端末２０は、店員側表示部２１０において自端末の現在の動作モードを表示してもよい。具体的には、各ＰＯＳ端末２０は、店員側表示部２１０に自端末の動作モード表示欄を有する画面を表示し、該画面上の動作モード表示欄に自端末の現在の動作モードを表示してもよい。また、各ＰＯＳ端末２０は、各動作モードに対応する画像（例えば、ボタン風の画像）を配置した画面を店員側表示部２１０に表示し、該画面上において自端末の現在の動作モードを対応する画像を現在の動作モードに対応しない画像とは異なる表示態様（例えば、他の画像の表示態様よりも目立つ表示態様）にて表示してもよい。例えば、通常モード画像とフルセルフモード画像とを常に表示するとともに、自端末の現在の動作モードが通常モードであるときには通常モード画像をフルセルフモード画像よりも目立つ表示態様にて表示し、自端末の現在の動作モードがフルセルフモードであるときにはフルセルフモード画像を通常モード画像よりも目立つ表示態様にて表示するなどしてもよい。なお、各ＰＯＳ端末２０は、客側表示部２０５においても同様に自端末の現在の動作モードを表示してもよい。
【００８１】
また、各ＰＯＳ端末２０は、自端末の現在の動作モードに代えて又は加えて、他端末の現在の動作モードを報知してもよい。つまり、各ＰＯＳ端末２０が互いに他端末の現在の動作モードを認識することにより、他端末の現在の動作モードを報知してもよい。各ＰＯＳ端末２０が互いに他端末の現在の動作モードを認識する方法の一例は、各ＰＯＳ端末２０が動作モードの移行後に移行後の動作モード（最新の動作モード）を他端末に通知（ＬＡＮ１１を介して、他端末に直接的に通知、または、ストアコントローラ１０や監視端末（非図示）経由して他端末に通知）する方法である。また、各ＰＯＳ端末２０は、他端末の現在の動作モードと同様、他端末の現在の処理状況を報知してもよい。
【００８２】
また、各ＰＯＳ端末２０は、自端末の現在の動作モード等（動作モード、処理状況等）に応じた情報を報知してもよい。例えば、各ＰＯＳ端末２０は、自端末の現在の動作モードがフルセルフモードである場合、例えば待機中であるときに、所定のメッセージ（例えば図７（Ａ）参照）を客側表示部２０５に表示してもよい。また、ＰＯＳ端末２０は、自端末の現在の動作モードに応じた情報に代えて又は加えて、他端末の現在の動作モード等に応じた情報を報知してもよい。
【００８３】
（動作モードの切り替え（移行））
続いて、ＰＯＳ端末２０の動作モードの移行について説明する。ＰＯＳ端末２０は、店員による明示的なモード切替操作（モード移行操作とも称する）に従って動作モードが切り替わる（動作モードが移行する）。具体的には、キー操作部２１１の最上段かつ最右端に配置されているモード切替ボタン２１１ａ（図３（Ｂ）参照）の操作に従って動作モードが切り替わる。
【００８４】
なお、モード切替ボタン２１１ａをキー操作部２１１の角部に配置したため、動作モードを切り替える際の操作ミスを減らすことができるとともに、容易に動作モードを切り替えることができるようになる。つまり、キー操作部２１１の角部にモード切替ボタン２１１ａが存在する場合、例えばキー操作部２１１の中央付近にモード切替ボタン２１１ａが存在する場合に比べ、例えば、操作対象であるモード切替ボタン２１１ａに隣接する他のボタン数が少ないため、慌てて他のボタンを操作するなどの操作ミスが生じ難く、また、操作対象であるモード切替ボタン２１１ａの位置を瞬時に特定できるため、ストレスなくモード切替操作を行うことができる。
【００８５】
更に、モード切替ボタン２１１ａをキー操作部２１１の右上端（最上段かつ最右端）の角部に配置したため、店員が店員側にいる場合だけでなく客側にいる場合にもモード切替操作を行うことができるようになる。つまり、客側にいる店員は、通常、キー操作部２１１の各ボタンを視認し得ないが、キー操作部２１１の右上端に存在するモード切替ボタン２１１ａについては、客側から手を伸ばし、手探り（手の感触）のみで、操作対象であるモード切替ボタン２１１ａを容易に認識し得るため、客側にいる店員は店員側に移動しなくても、モード切替操作を行うことができる。
【００８６】
なお、本実施形態では、モード切替ボタン２１１ａをキー操作部２１１の右上端の角部に配置しているが、手探りのみで認識し得る位置（比較的容易に認識できる位置）であれば、モード切替ボタン２１１ａをキー操作部２１１の右上端の角部以外の位置に配置してもよい。また、手探りのみで認識し得る位置（例えば、右上端の角部等）にモード切替ボタン２１１ａを配置することに代えて又は加えて、客側からであっても他のボタンと区別し得るようにモード切替ボタン２１１ａを形成してもよい。例えば、手探りのみで区別しうる程度に、モード切替ボタン２１１ａの大きさを他のボタンの大きさと異ならせるようにしてもよいし、モード切替ボタン２１１ａの形を他のボタンの形と異ならせるようにしてもよいし、モード切替ボタン２１１ａの高さを他のボタンの高さと異ならせるようにしてもよいし（例えば、モード切替ボタン２１１ａが他のボタンよりも飛び出ているようにしてもよいし）、モード切替ボタン２１１ａの表面（手が触れる面）の全部または一部の感触を他のボタンの感触と異ならせるようにしてもよい（例えば、モード切替ボタン２１１ａの表面だけをザラザラ、ボコボコした感触にしてもよいし、モード切替ボタン２１１ａの表面だけに突起や窪みを設けるようにしてもよい）。
【００８７】
なお、本実施形態では、上述のような種々の利点を考慮し、キー操作部２１１にモード切替ボタン２１１ａを配置しているが、キー操作部２１１にモード切替ボタン２１１ａを配置することに代えて又は加えて、店員側表示部２１０に表示される画面上にモード切替ボタン（不図示）を配置するようにしてもよい。
【００８８】
また、ＰＯＳ端末２０は、明示的なモード切替操作によらずに、動作モードを切り替えることができる。例えば、ＰＯＳ端末２０は、経過時間（例えば、最後に操作してからの経過時間）や所定時刻（スケジュール）等の時間に関する条件、他端末（ＰＯＳ端末２０、監視端末、携帯端末）等からのモード切替指示（モード切替命令）等の情報の送受信に関する条件に基づいて動作モードを切り替える。
【００８９】
なお、店員による明示的なモード切替操作による場合であっても、明示的なモード切替操作によらない場合であっても、ＰＯＳ端末２０は、自端末の動作モードを切り替えた場合には、切替後の動作モード（最新の動作モード）を他端末に通知してもよい。
【００９０】
以下の説明において、第１ＰＯＳ端末２０−１、及び、第２ＰＯＳ端末２０−２は通常モードであるものとする。また、第３ＰＯＳ端末２０−３はフルセルフモードであるものとする。
【００９１】
（通常モードにおけるＰＯＳ端末２０の表示例）
図８〜図１１は、通常モードのＰＯＳ端末２０における表示例である。具体的には、図８〜図１０は、いずれも、通常モードの第１ＰＯＳ端末２０−１の店員側表示部２１０における表示例である。また、図１１は、通常モードの第１ＰＯＳ端末２０−１の客側表示部２０５における表示例である。
【００９２】
図８（Ａ）は、店員側表示部２１０における初期状態の登録画面における表示内容を示している。以下の説明において初期状態とは、別段の断りがない限り、処理が進行していない状態、例えば、商品が未だ何も登録されていない状態、かつ、支払（決済）について未だ何もなされていない状態（支払方法の選択も現金の投入も品券類の登録もなされていない状態等）、かつ、客について未だ何もなされていない状態（会員カード等の読み取り等がなされていない状況等）である。
【００９３】
図８（Ａ）において、画面右上のタブ領域Ｔ１は、各表示内容（表示画面）に対応するタブである。第１ＰＯＳ端末２０−１は、当該客の登録処理を中断（中断理由は、買上商品の追加のため店内に戻るためなどである）し、次客の登録処理が可能である。つまり、第１ＰＯＳ端末２０−１は、店員の操作に基づいて、当該客用の登録画面の表示内容（登録内容）を保持（記憶）しつつ、次客用の新たな登録画面を表示する。図８（Ａ）に示した例ではタブは１つ（タブ領域Ｔ１）であるが、第１ＰＯＳ端末２０−１は、進行中の登録画面数（客数）に応じた数のタブを表示し（タブ領域Ｔ１、Ｔ２、Ｔ３、…）、タブの操作（押下）に応じて有効（アクティブ）にする登録画面を切り替える。
【００９４】
タブ領域Ｔ１には、当該タブを他のタブと識別する情報（図８（Ａ）の例では数字「１」）が表示されている。また、タブ領域Ｔ１には、客からの預り金額を表示する店員側金額表示欄ＨＲ０１が設けられている。また、図８（Ａ）に示した例では表示していないが、タブ領域Ｔ１には、上記以外にも種々の情報（後述）が表示される。
【００９５】
画面左下の画像ＧＡ０２は、他端末（第２ＰＯＳ端末２０−２）の状態（具体的には通常モードである旨）を示している。画面左下の画像ＧＡ０３は、他端末（第３ＰＯＳ端末２０−３）の状態（具体的にはフルセルフモードである旨）を示している。
【００９６】
第１ＰＯＳ端末２０−１は、店員側表示部２１０に図８（Ａ）の登録画面を表示している状態から、店員によって缶ビールが登録された場合、店員側表示部２１０に図８（Ｂ）に示したような登録画面を表示する。第１ＰＯＳ端末２０−１は、最初の商品の登録、ここでは、缶ビールの登録によって商品の販売の取引を開始する。
【００９７】
図８（Ｂ）において、画面右下の小計ボタンＢＴ１０は、商品登録の終了を指示するためのボタンである。店員は、商品登録が完了した後に小計ボタンＢＴ１０を操作（タッチ）する。
【００９８】
登録画面の右下には、２０−２レジボタンＢＴ１２及び２０−３レジボタンＢＴ１３が表示されている。通常モードでは、当該レジ（ここでは第１ＰＯＳ端末２０−１）で客が精算処理を行うが、セミセルフモードのように、他のレジ（例えば第２ＰＯＳ端末２０−２や第３ＰＯＳ端末２０−３）に登録情報を送信し、他のレジで客が精算処理を行うこともできる。２０−２レジボタンＢＴ１２及び２０−３レジボタンＢＴ１３は、通常モードにおいて、客が他のレジで精算処理を行う際に、他のレジを指定するためボタンである。
【００９９】
店員は、登録情報を送信する端末として第２ＰＯＳ端末２０−２を指定する場合には２０−２レジボタンＢＴ１２を操作する。２０−２レジボタンＢＴ１２に示された「（通常）」は、２０−２レジボタンＢＴ１２に対応する第２ＰＯＳ端末２０−２の動作モードが通常モードである旨を示している。
【０１００】
２０−３レジボタンＢＴ１３は、２０−３レジ（第３ＰＯＳ端末２０−３）を指定するためボタンである。店員は、登録情報を送信する端末として第３ＰＯＳ端末２０−３を指定する場合には２０−３レジボタンＢＴ１３を操作する。２０−３レジボタンＢＴ１３に示された「（フルセルフ）」は、２０−３レジボタンＢＴ１３に対応する第３ＰＯＳ端末２０−３の動作モードがフルセルフモードである旨を示している。
【０１０１】
お会計券ボタンＢＴ１５は、印刷部２１３にてお会計券を発行させるためのボタンである。店員は、お会計券を読み取ったＰＯＳ端末２０（客がお会計券を読み取らせたＰＯＳ端末２０）において処理を実行させる場合にはお会計券ボタンＢＴ１５を操作する。
【０１０２】
なお、登録情報の送信先のＰＯＳ端末２０として、通常モードのＰＯＳ端末２０とフルセルフモードのＰＯＳ端末２０とを比較した場合、通常モードのＰＯＳ端末２０よりもフルセルフモードのＰＯＳ端末２０の方が、登録情報の送信先として好ましい。通常モードのＰＯＳ端末２０は、基本的に店員が付いて操作を行うものであるため（図５（Ａ）参照）、処理（例えば、登録処理、客対応等）が継続して存在し、登録情報を送信したとしても直ぐに処理できない可能性が高く、また仮に空いているとしても（店員も客も付いていないとしても）、店員のサポートを希望する客に直ちに対応するため基本的に空けておくことが好ましいのに対し、フルセルフモードのＰＯＳ端末２０は、客が付いていなければ登録情報を送信し直ぐに処理可能であり、仮に客が付いていたとしても単に順番に処理すればよく上述のような問題は生じ難いからである。
【０１０３】
上記に鑑み、登録情報の送信先のＰＯＳ端末２０として好ましいか否か、あるいは、登録情報の送信先が複数存在する場合においてどれがより好ましいかを店員に報知するようにしている。一例として、図８（Ｂ）では、登録情報の送信先として比較的好ましいフルセルフモードの第３ＰＯＳ端末２０−３に対応する２０−３レジボタンＢＴ１３の輪郭部分を実線で示し、登録情報の送信先として比較的好ましくない通常モードの第２ＰＯＳ端末２０−２に対応する２０−２レジボタンＢＴ１２の輪郭部分を破線で示している。なお、上述の輪郭部分による報知は、一例であって、登録情報の送信先のＰＯＳ端末２０として好ましいか否か、あるいは、登録情報の送信先が複数存在する場合においてどれがより好ましいかを店員が認識できるものであれば報知態様は限定しない。例えば、比較的好ましくない方はボタンの背景色をグレーダウン表示するようにしてもよいし、ボタン全体に罰印や斜線を付加してもよい。また、登録情報の送信先のＰＯＳ端末２０として好ましいか否か等に応じて、ボタンの表示サイズ、形、表示位置を異ならせてもよいし、ボタンに何らかの情報（「優先」や「推奨」と記したバッヂ風の画像等）を付してもよい。
【０１０４】
第１ＰＯＳ端末２０−１は、店員側表示部２１０に図８（Ｂ）の登録画面を表示している状態から、客によって現金が投入された場合、画面右上の店員側金額表示欄ＨＲ０１に投入された金額、例えば５００円が投入されたときには「５００」の数値が表示される。なお、図８（Ｂ）の段階では、現金の投入が行われていないので、「お預り」の記載された画面の右側の表示欄には、投入された金額に相当する数値、ここでは、「０」の数値が表示される。また、現金が投入された場合には、他端末（第２ＰＯＳ端末２０−２、第３ＰＯＳ端末２０−３）ではなく、自端末（第１ＰＯＳ端末２０−１）において精算するということになる。このため、他端末（第２ＰＯＳ端末２０−２、第３ＰＯＳ端末２０−３）において精算する場合に使用するボタン（２０−２レジボタンＢＴ１２、２０−３レジボタンＢＴ１３、お会計券ボタンＢＴ１５）を非表示としてもよい（消去してもよい）。
【０１０５】
また、続いて、計量装置３０に計量商品である惣菜が載置されると、惣菜の登録処理が行われる。第１ＰＯＳ端末２０−１は、計量装置３０に計量商品である惣菜が載置されたときに、図９（Ａ）に示す計量商品登録画面を表示して惣菜の登録処理を開始する。計量装置３０には、店員側計量装置３１と客側計量装置３２があるが、通常モードでは、店員が登録処理を行っているので、通常は、店員側計量装置３１に惣菜が載置されて惣菜の登録処理が開始される。また、客側計量装置３２に惣菜が載置されたときにも、図９（Ａ）に示す画面が表示されて惣菜の登録処理が開始される。このため、例えば、客が惣菜を他の商品と分けて持っており、惣菜を客側計量装置３２に載置した場合であっても、惣菜の登録処理を開始できる。
【０１０６】
第１ＰＯＳ端末２０−１は、惣菜の登録処理を開始すると、図９（Ａ）に示す計量商品登録開始画面を表示する。第１ＰＯＳ端末２０−１は、計量商品登録開始画面に、商品表示欄ＧＥ０１、商品重量表示欄ＧＥ０２、容器表示欄ＧＥ０３、容器重量表示欄ＧＥ０４、及び合計重量表示欄ＧＥ０５を表示する。この段階では、商品や容器の選択は行われていないので、第１ＰＯＳ端末２０−１は、商品表示欄ＧＥ０１に「商品」の文字を表示し、容器表示欄ＧＥ０３に「容器」の文字を表示する。また、第１ＰＯＳ端末２０−１は、商品重量表示欄ＧＥ０２及び合計重量表示欄ＧＥ０５に「０００．０」の数字を表示し、容器重量表示欄ＧＥ０４に「−０．０」の数字を表示する。
【０１０７】
また、第１ＰＯＳ端末２０−１は、計量商品登録開始画面に、酢豚の画像の第１計量商品ボタンＢＴ２１と、レバニラの画像の第２計量商品ボタンＢＴ２２と、肉じゃがの画像の第３計量商品ボタンＢＴ２３と、計量商品スクロールボタンＢＴ２４と、を表示する。このうちの計量商品スクロールボタンＢＴ２４を操作すると、新たな計量商品の画像の計量商品ボタンが順次表示される。また、第１ＰＯＳ端末２０−１は、容器Ａの画像の第１容器ボタンＢＴ２６と、容器Ｂの第２容器ボタンＢＴ２７と、容器Ｃの第３容器ボタンＢＴ２８と、容器スクロールボタンＢＴ２９と、を表示する。このうちの容器スクロールボタンＢＴ２９を操作すると、新たな容器の画像の容器ボタンが順次表示される。
【０１０８】
続いて、店員は、図９（Ａ）に示す第１計量商品ボタンＢＴ２１〜第３計量商品ボタンＢＴ２３のいずれか、または計量商品スクロールボタンＢＴ２４を操作した後に新たに表示される計量商品ボタンを操作して、計量商品を選択する。また、店員は、第１容器ボタンＢＴ２６〜第３容器ボタンＢＴ２８のいずれか、または容器スクロールボタン２９を操作した後に新たに表示される計量商品ボタンを操作して、容器を選択する。ここで、例えば計量装置３０に載置された商品が酢豚であり、容器が容器Ｂである場合、酢豚を示す第１計量商品ボタンＢＴ２１及び容器Ｂを示す第２容器ボタンＢＴ２７を店員が操作（タッチ）する。
【０１０９】
第１ＰＯＳ端末２０−１は、店員の操作に応じて、図９（Ｂ）に示すように、商品表示欄ＧＥ０１に「酢豚」を表示し、容器表示欄ＧＥ０３に「容器Ｂ」を表示する。また、第１ＰＯＳ端末２０−１は、商品表示欄ＧＥ０１の右側に位置する商品重量表示欄ＧＥ０２に計量装置３０で計量された酢豚の重量、ここでは「１３１．２」ｇを表示する。また、第１ＰＯＳ端末２０−１は、容器表示欄ＧＥ０３の右側に位置する容器重量表示欄ＧＥ０４に、容器Ｂの重量をマイナス表示した重量、ここでは「−７．０」ｇを表示する。
【０１１０】
第１ＰＯＳ端末２０−１は、例えば、容器Ａは５．８ｇ、容器Ｂは７．０ｇ、容器Ｃは１３．１ｇというように、選択可能とされた容器の重量をあらかじめ記憶している。そして、選択された容器の重量をマイナス表示する。そして、第１ＰＯＳ端末２０−１は、商品重量表示欄ＧＥ０２に表示された商品の重量から容器重量表示欄ＧＥ０４に表示された容器の重量を引いた合計重量を合計重量表示欄ＧＥ０５に表示する。第１ＰＯＳ端末２０−１は、図９（Ｂ）に示す例では、合計の重量として「１２４．２ｇ」を合計重量表示欄ＧＥ０５に表示する。こうして、惣菜の登録が行われる。
【０１１１】
その後、図１０（Ａ）に示すように、すべての商品の登録が完了した場合、店員は、小計ボタンＢＴ１０を操作（タッチ）する。図１０（Ａ）では、商品として、缶ビール、酢豚、及びのり弁当が登録されている。第１ＰＯＳ端末２０−１は、小計ボタンＢＴ１０の操作に応じて、店員側表示部２１０において図１０（Ｂ）に示したように小画面（小ウィンドウ）ＳＧ０２を登録画面に重畳させて表示する。この小画面ＳＧ０２は、精算関連の情報（合計金額、機器入金額（預り金額））を店員に報知するものである。なお、ここでは、商品として上記の「缶ビール」「酢豚」のほか「のり弁当」が登録され、商品の合計金額が８５８円となり、釣銭機２０９への現金の投入金額が０円である（現金の投入が行われていない）例を示している。
【０１１２】
このとき、第１ＰＯＳ端末２０−１は、図１１（Ａ）に示す現金決済画面を客側表示部２０５に表示する。第１ＰＯＳ端末２０−１は、現金決済画面において、「お金を入れてください」という釣銭機２０９への現金の投入を遊技者に促すメッセージを表示するとともに、商品の合計金額及び釣銭機２０９に投入された金額を表示する。ここでは、商品の合計金額として表示される金額は８５８円、釣銭機２０９に投入された現金はいまだ０円である（現金が投入されていない）例を示している。
【０１１３】
続いて、客が釣銭機２０９に現金を投入すると、第１ＰＯＳ端末２０−１は、投入された金額を「お預り金額」の表示欄に表示する。例えば、釣銭機２０９に１００円が投入されたときには、第１ＰＯＳ端末２０−１は、「お預り金額」の表示欄に「１００」の数値を表示する。なお、釣銭機２０９に投入された現金の金額が商品の合計金額未満であるときには、第１ＰＯＳ端末２０−１は、図１１（Ａ）に示す「お預り金額」の表示欄の数値を変えた状態で現金決済画面を客側表示部２０５に表示する。
【０１１４】
また、釣銭機２０９に投入された現金の金額が商品の合計金額以上となったときには、第１ＰＯＳ端末２０−１は、図１１（Ｂ）に示す現金決済終了画面（決済実行画面）を客側表示部２０５に表示する。第１ＰＯＳ端末２０−１は、現金決済終了画面において、おわりボタンＢＴ４０を表示するとともに、「よろしければおわりボタンを押してください」というおわりボタンＢＴ４０の操作を遊技者に促すメッセージを表示する。第１ＰＯＳ端末２０−１は、現金決済終了画面において、商品の合計金額、釣銭機２０９に投入された現金の金額、及びお釣りの金額を表示する。図１１（Ｂ）に示す例では、商品の合計金額がとして８５８円、釣銭機２０９に投入された現金の金額として１０００円、お釣りの金額として１４２円を表示している。
【０１１５】
その後、客がおわりボタンＢＴ４０を押下（操作）することにより、第１ＰＯＳ端末２０−１は、釣銭機２０９から釣銭を払い出し、印刷部２１３によってレシートを印刷して発行する。こうして、第１ＰＯＳ端末２０−１は、商品の販売の取引を終了する。なお、おわりボタンＢＴ４０を押下（操作）するまで釣銭の払出などが行われないので、客は、金額の端数を揃えるなどして釣銭として払い出される硬貨の枚数が少なくなるように調整することができる。
【０１１６】
なお、小計ボタンＢＴ１０の操作が行われた後に、客側表示部２０５に、決済方法を選択できる画面を表示してもよい。決済方法を選択できる画面としては、例えば、「現金」「クレジットカード」「電子マネー」に相当するボタンを表示した画面としてよい。これらのボタンのいずれかを客にタッチさせることで決済方法を選択させることができる。また、決済方法は、商品の登録が完了する前に選択することもできる。
【０１１７】
（フルセルフモードにおけるＰＯＳ端末２０の表示例）
続いて、図１２及び図１３を用いて、フルセルフモードであるときのＰＯＳ端末２０の表示について説明する。図１２及び図１３は、フルセルフモードのＰＯＳ端末２０における表示例である。
【０１１８】
図１２（Ａ）は、動作モードがフルセルフモードである第１ＰＯＳ端末２０−１の客側表示部２０５に表示された登録開始画面における表示例である。図１２（Ａ）において、画面右下の登録スタートボタンＢＴ３０は、商品登録の開始を指示するためのボタンである。客は、商品登録を開始する前に登録スタートボタンＢＴ３０を操作する。画面左下のボタンＢＴ３５〜ＢＴ３７は、表示言語を、夫々、英語、中国語、韓国語に切り替えるためのボタンである。
【０１１９】
図１２（Ｂ）は、動作モードがフルセルフモードである第１ＰＯＳ端末２０−１の客側表示部２０５に表示された登録画面における表示例である。具体的には、図１２（Ｂ）は、２品目の商品（大福餅）が登録された場面における登録画面の表示内容を示している。なお、図１２（Ａ）に示した登録開始画面において登録スタートボタンＢＴ３０が操作された場合には、商品が未だ１品も登録されていない登録画面（初期状態の登録画面）が表示されるが、説明の便宜上、図１２（Ｂ）は、既に商品が登録されたあとの登録画面を示している。
【０１２０】
図１２（Ｂ）において、画面左下の画像ＧＡ０１は、自端末（第１ＰＯＳ端末２０−１）の状態を示している。画面左下の画像ＧＡ０２は、２０−２レジ（第２ＰＯＳ端末２０−２）の状態を示している。
【０１２１】
画面右下のお会計ボタンＢＴ３２は、商品登録の終了を指示するためのボタンである。客は、商品登録が完了した後にお会計ボタンＢＴ３２を操作する。店員呼出ボタンＢＴ３３は、店員を呼び出すためのボタンである。客は、店員を呼び出す場合（例えば、店員のサポートが必要な場合等）に店員呼出ボタンＢＴ３３を操作する。
【０１２２】
なお、ボタンＢＴ３５〜ＢＴ３７は、上述したように、表示言語を、夫々、英語、中国語、韓国語に切り替えるためのボタンである。また、「野菜」ボタンＢＴ３８は、野菜の各プリセットキー（図９参照）を表示させるためのボタンである。
【０１２３】
図１３は、フルセルフモードの第１ＰＯＳ端末２０−１の客側表示部２０５に表示された精算画面における表示例である。図１３（Ａ）は、精算処理を開始する際に表示する精算画面（支払方法選択画面）である。例えば、第１ＰＯＳ端末２０−１は、登録画面（図１２（Ｂ）参照）においてお会計ボタンＢＴ３２が操作された場合に、図１３（Ａ）に示すような支払方法選択画面を表示する。図１３（Ｂ）は、現金による支払を開始する際に表示する精算画面（入金画面）である。例えば、第１ＰＯＳ端末２０−１は、支払方法選択画面（図１３（Ａ）参照）において現金が操作された場合に、図１３（Ｂ）に示すような入金画面を表示する。図１３（Ｃ）は、預り金額を決定する際に表示する精算画面（入金画面）である。例えば、第１ＰＯＳ端末２０−１は、お支払金額（買上金額）以上の現金（預り金）が投入された場合に、図１３（Ｃ）に示すような入金画面を表示する。
【０１２４】
図１３（Ｄ）は、釣り銭を放出する際に表示する精算画面（釣銭画面）である。例えば、第１ＰＯＳ端末２０−１は、入金画面（図１３（Ｃ））においておわり（レシート）ボタンＢＴ４０が操作された場合に、図１３（Ｄ）に示すような釣銭画面を表示する。図１３（Ｅ）は、釣り銭が取り去られた際に表示する精算画面（レシート画面）である。例えば、第１ＰＯＳ端末２０−１は、釣銭機２０９の取出口から釣り銭が取り去られた場合に、図１３（Ｅ）に示すようなレシート画面を表示する。なお、第１ＰＯＳ端末２０−１は、取出口の近傍にフォトセンサ等のセンサを設置し、該センサが物（客の手を想定）を認識した場合に、釣り銭が取り去られたと判定してもよい。
【０１２５】
図１３（Ｆ）は、休止状態であるときに表示する休止画面である。つまり、第１ＰＯＳ端末２０−１は、休止モード（休止状態）であるが、休止モードであるときには、図１３（Ｆ）に示すような休止画面を表示する。
【０１２６】
なお、第１ＰＯＳ端末２０−１は、レシート画面（図１３（Ｅ））の表示後には、登録開始画面（図１２（Ａ））を表示する。例えば、第１ＰＯＳ端末２０−１は、印刷部２１３の発行口からレシートが取り去られた後に、登録開始画面を表示する。なお、第１ＰＯＳ端末２０−１は、発行口からレシートが取り去られたことを認識可能なセンサを備えていてもよい。
【０１２７】
また、釣り銭が発生しない場合には、釣銭画面（図１３（Ｄ））を表示せずに、入金画面（図１３（Ｃ））からレシート画面（図１３（Ｅ））に遷移してもよい。
【０１２８】
上記の過程でフルセルフモードにおけるＰＯＳ端末２０の表示が遷移するが、商品登録の過程で、計量装置３０に計量商品が載置された場合には、計量商品を登録するための手順で画面が遷移する。例えば、図１２（Ｂ）に示す画面が表示されているときに計量装置３０に計量商品が載置されると、第１ＰＯＳ端末２０−１は、図１４（Ａ）に示す画面を客側表示部２０５に表示する。この画面では、「この商品は重さで値段が変わります。画面の指示に従って商品と容器を選択してください。よろしければ右のＯＫボタンに触れてください。」というメッセージを含む第１メッセージ画像ＭＧ１１が表示される。
【０１２９】
また、客側表示部２０５には、ＯＫボタンＢＴ４１、戻るボタンＢＴ４２、及び店員呼出ボタンＢＴ４３が表示されている。第１ＰＯＳ端末２０−１は、客がＯＫボタンＢＴ４１を操作すると、図１４（Ｂ）に示す画面を表示する。また、戻るボタンＢＴ４２が操作されると、第１ＰＯＳ端末２０−１は、客側表示部２０５の表示を、図１３（Ｂ）に示す画面に戻す。また、店員呼出ボタンＢＴ４３が操作されると、第１ＰＯＳ端末２０−１は、「店員呼出中」のメッセージを客側表示部２０５に表示するとともに、店内の店員の呼び出しを行う。
【０１３０】
第１ＰＯＳ端末２０−１によって客側表示部２０５に表示される図１４（Ｂ）に示す画面には、「購入する商品を選んでタッチしてください。」というメッセージを含む第２メッセージ画像ＭＧ１２が表示される。第１ＰＯＳ端末２０−１は、第２メッセージ画像ＭＧ１２の中に、酢豚の画像の第１計量商品ボタンＢＴ５１と、レバニラの画像の第２計量商品ボタンＢＴ５２と、肉じゃがの画像の第３計量商品ボタンＢＴ５３と、計量商品スクロールボタンＢＴ５４と、を表示する。このうちの計量商品スクロールボタンＢＴ５４を操作すると、新たな計量商品の画像の計量商品ボタンが順次表示される。
【０１３１】
また、第１ＰＯＳ端末２０−１は、第２メッセージ画像ＭＧ１２とともに、客側表示部２０５に商品表示欄ＧＥ１１、商品重量表示欄ＧＥ１２、容器表示欄ＧＥ１３、容器重量表示欄ＧＥ１４、及び合計重量表示欄ＧＥ１５を表示する。この段階では、商品や容器の選択は行われていないので、第１ＰＯＳ端末２０−１は、商品表示欄ＧＥ１１に「商品」の文字を表示し、容器表示欄ＧＥ１３、に「容器」の文字を表示する。また、第１ＰＯＳ端末２０−１は、商品重量表示欄ＧＥ１２及び合計重量表示欄ＧＥ１５に「０００．０」の数字を表示し、容器重量表示欄ＧＥ１４に「−０．０」の数字を表示する。また、第１ＰＯＳ端末２０−１は、第２メッセージ画像ＭＧ１２とともに、店員呼出ボタンＢＴ５５を表示する。
【０１３２】
続いて、客は、図１４（Ｂ）に示す第１計量商品ボタンＢＴ５１〜第３計量商品ボタンＢＴ５３のいずれか、または計量商品スクロールボタンＢＴ５４を操作した後に新たに表示される計量商品ボタンを操作して、計量商品を選択する。ここで、例えば計量装置３０に載置された商品が酢豚である場合、第１計量商品ボタンＢＴ５１を店員が操作（タッチ）する。この店員の操作により、第１ＰＯＳ端末２０−１は、図１５（Ａ）に示すように、第３メッセージ画面ＭＧ１３を表示する。第３メッセージ画面ＭＧ１３には、登録する計量商品の計量商品画像ＧＡ１０を表示するとともに、容器Ａの第１容器ボタンＢＴ５６、容器Ｂの第２容器ボタンＢＴ５７、容器Ｃの第３容器ボタンＢＴ５８、及び容器スクロールボタン５９を表示する。また、このときには既に商品の計量が行われているが、登録する商品が決まっていないので、商品重量表示欄ＧＥ１２には「０００．０」の数字が表示され、容器重量表示欄ＧＥ１４には「−０．０」の数字が表示されている。なお、この段階で、計量装置３０で計量された商品の重量を表示するようにしてもよい。
【０１３３】
続いて、店員は、第１容器ボタンＢＴ５６〜第３容器ボタンＢＴ５８のいずれか、または容器スクロールボタン５９を操作した後に新たに表示される計量商品ボタンを操作して、容器を選択する。例えば計量装置３０に載置された商品の容器が容器Ｂである場合、容器Ｂの第２容器ボタンＢＴ５７を店員が操作（タッチ）する。これらの操作により、第１ＰＯＳ端末２０−１は、図１５（Ｂ）に示すように、第４メッセージ画像ＭＧ１４を客側表示部２０５に表示する。また、第１ＰＯＳ端末２０−１は、商品表示欄ＧＥ１１に「酢豚」の文字を表示し、容器表示欄ＧＥ１３に「容器Ｂ」の文字を表示する。また、第１ＰＯＳ端末２０−１は、商品重量表示欄ＧＥ１２に「１３１．２」の数字を表示し、容器重量表示欄ＧＥ１４に「−７．０」の数字を表示し、合計重量表示欄ＧＥ１５に「１２４．２」の数字を表示する。
【０１３４】
また、第１ＰＯＳ端末２０−１は、第４メッセージ画像ＭＧ１４に、計量商品画像ＧＡ１０及び選択した容器（ここでは容器Ｂ）の容器画像ＧＡ１１を表示する。また、第１ＰＯＳ端末２０−１は、第４メッセージ画像ＭＧ１４に、「以上でよろしいですか？」のメッセージを表示するとともに、このメッセージの下にＯＫボタンＢＴ６１及び戻るボタンＢＴ６２を表示する。
【０１３５】
ＯＫボタン６１が客により操作されると、第１ＰＯＳ端末２０−１は、図１６に示す画像を客側表示部２０５に表示する。この画像では、図１２（Ｂ）に示す画像に対して、酢豚が登録された画像となっている。その後、第１ＰＯＳ端末２０−１は、すべての商品の登録が完了した後、図１３に示す順で画像を表示する。また、図１５（Ｂ）に示す戻るボタンＢＴ６２が客により操作されると、第１ＰＯＳ端末２０−１は、計量商品の登録を行わない。その後、図１２（Ｂ）に示す画面を客側表示部２０５に表示する。
【０１３６】
（表示商品を購入する際の表示例）
続いて、図１７を用いて、表示商品を登録する場合のＰＯＳ端末２０の表示について説明する。図１７は、フルセルフモードのＰＯＳ端末２０における表示例である。なお、以下の説明において、商品名が表示されて、店員等が用意する商品を表示商品という。表示商品の例としては、例えば、アイスクリームケースに収容された量り売りのアイスクリーム、店員の点を介さないと購入することができない商品、例えばたばこ、レジ横で販売される中華まんじゅうなどが挙げられる。
【０１３７】
例えば、図８（Ｂ）に示す画面の表示中である通常モードの際に、客がアイスクリームケースに設けられた店員側商品指定ボタン４１を操作すると、第１ＰＯＳ端末２０−１は、図１７（Ａ）に示す画面を店員側表示部２１０に表示する。この画面では、「アイスクリームを登録します。」というメッセージを含む第５メッセージ画像ＭＧ１５が表示される。また、第１ＰＯＳ端末２０−１は、ＯＫボタンＢＴ７１及び戻るボタンＢＴ７２を第５メッセージ画像ＭＧ１５に含めて表示する。ＯＫボタンＢＴ７１が操作されると、第１ＰＯＳ端末２０−１は、図８（Ｂ）に示す登録画面の缶ビールに続いてアイスクリームの登録を行う。
【０１３８】
また、図１２（Ｂ）に示す画面の表示中であるフルセルフモードの際に、客がアイスクリームケースに設けられた客側商品指定ボタン４２を操作すると、第１ＰＯＳ端末２０−１は、図１７（Ｂ）に示す店員呼出画面を客側表示部２０５に表示する。この店員呼出画面では、「アイスクリームを登録します。呼出ボタンに触れてください。」というメッセージを含む第６メッセージ画像ＭＧ１６が表示される。また、第１ＰＯＳ端末２０−１は、第６メッセージ画像ＭＧ１６の右側下方位置に、呼出ボタンＢＴ７３及び戻るボタンＢＴ７４を表示する。呼出ボタンＢＴ７３が操作されると、第１ＰＯＳ端末２０−１は、アイスクリームを購入する客に対応するための店員の呼び出しを行う。このときの店員の呼び出しは、図１５等に示す店員呼出ボタンＢＴ５５を操作したときと同様としてもよいし、異なるようにしてもよい。また、操作されたボタンの内容に応じたメッセージを店員に報知するようにしてもよい。例えば、図１５に示す店員呼出ボタンＢＴ５５が操作されたときには、店員に対して「お客様がお困りです。」といったメッセージを音声で出力したり画像に表示したりし、図１７（Ｂ）に示す呼出ボタンＢＴ７３が操作されたときには、店員に対して、「アイスクリームを購入されるお客様です。」といったメッセージを音声で出力したり画像に表示したりしてもよい。
【０１３９】
また、通常モード中にアイスクリームケースに設けられた店員側商品指定ボタン４１が操作されたときには、図８（Ｂ）に示す登録モードによって、商品としてアイスクリームを登録する表示を行う。このように、店員側商品指定ボタン４１が操作されたときに、客側商品指定ボタン４２が操作されたときとで、表示部における表示が異なるようになる。
【０１４０】
図１８は、ＰＯＳ端末２０の動作の一例を示すフローチャートである。具体的には、図１８のフローチャートは、第１ＰＯＳ端末２０−１における動作モードの判定から商品の登録が完了するまでの動作の一例を示している。
【０１４１】
ステップＳ２０１：第１ＰＯＳ端末２０−１は、動作モードが通常モードまたは登録専用モード（セミセルフモード）であるか否かを判断する。第１ＰＯＳ端末２０−１は、動作モードが通常モードまたは登録専用モード（セミセルフモード）である場合、ステップＳ２０２に進み、通常モードまたは登録専用モード（セミセルフモード）でない場合、ステップＳ２０３に進む。
ステップＳ２０２：第１ＰＯＳ端末２０−１は、動作モードが通常モードであるときの登録処理を行う。動作モードが通常モードであるときの登録処理については、後に図１９を参照してさらに説明する。
【０１４２】
ステップＳ２０３：第１ＰＯＳ端末２０−１は、動作モードがフルセルフモードであるか否かを判断する。第１ＰＯＳ端末２０−１は、動作モードがフルセルフモードである場合、ステップＳ２０４に進み、動作モードがフルセルフモードでない場合、第１ＰＯＳ端末２０−１は、ステップＳ２０５に進む。
ステップＳ２０４：第１ＰＯＳ端末２０−１は、動作モードがフルセルフモードであるときの登録処理を行う。動作モードがフルセルフモードであるときの登録処理については、後に図２０を参照してさらに説明する。
ステップＳ２０５：第１ＰＯＳ端末２０−１は、計量装置参照動作モード設定処理を行う。計量装置参照動作モード設定処理については、後に図２１を参照してさらに説明する。
【０１４３】
ステップＳ２０６：動作モードが他の動作モードであるとき、例えば会計専用モード（セミセルフモード）であるとき、当該他の動作モード時の処理を行う。例えば、動作モードが会計専用モード（セミセルフモード）であるときには、商品の登録処理は行われないので、そのまま処理を終了する。こうして、図１８に示す処理を終了する。
【０１４４】
次に、図１８のステップＳ２０２における動作モードが通常モードであるときの登録処理について、図１９を参照して説明する。
ステップＳ３０１：第１ＰＯＳ端末２０−１は、店員が商品の登録を開始したか否かを判断する。第１ＰＯＳ端末２０−１は、例えば、店員が自らのＩＤカードを第１ＰＯＳ端末２０−１の店員側スキャナ部２１２にかざしたか否か、あるいは商品の登録が開始されていない状態で店員側スキャナ部２１２において商品の登録が行われたか否か等によって商品の登録を開始したか否かを判断する。第１ＰＯＳ端末２０−１は、商品の登録が開始された場合、ステップＳ３０２に進み、商品の登録が開始されていない場合、ステップＳ３０１の処理を繰り返す。
ステップＳ３０２：第１ＰＯＳ端末２０−１は、店員側表示部２１０に商品登録画面を表示する。ここで、店員がＩＤカードを店員側スキャナ部２１２にかざして商品登録が開始されたときには第１ＰＯＳ端末２０−１は、図８（Ａ）に示すように、商品の登録がされていない登録画面を店員側表示部２１０に表示する。また、商品の登録が行われることで、商品登録が開始された場合には、第１ＰＯＳ端末２０−１は、図８（Ｂ）に示すように、登録された商品の情報が表示された登録画像を店員側表示部２１０に表示する。
【０１４５】
ステップＳ３０３：第１ＰＯＳ端末２０−１は、計量装置３０に商品あるか否かを判断する。第１ＰＯＳ端末２０−１は、商品が載置された計量装置３０から、計量した商品の重量情報が送信されているか否かに基づいて判断する。第１ＰＯＳ端末２０−１は、計量装置３０に商品がある場合には、ステップＳ３０４に進み、計量装置３０に商品がない場合には、ステップＳ３０７に進む。ここでは、動作モードが通常モードであるので、計量装置３０では、通常、店員側計量装置３１に店員が商品を載置する。このため、計量装置３０に商品を載置した操作主体は店員となる。第１ＰＯＳ端末２０−１では、動作モードに基づいて計量装置３０の操作主体を判別しており、第１ＰＯＳ端末２０−１は、動作モードが通常モードまたは登録専用モード（セミセルフモード）であるときには、操作主体は店員であると判別する。なお、操作主体が店員となることを考慮して、ここでは、店員側計量装置３１から重量情報が送信されたときに、計量装置３０に商品があり、客側計量装置３２から重量情報が送信されたときには、計量装置３０に商品がないと判断するようにしてもよい。
ステップＳ３０４：第１ＰＯＳ端末２０−１は、図９（Ａ）に示す計量商品登録画面を店員側表示部２１０に表示する。
ステップＳ３０５：第１ＰＯＳ端末２０−１は、商品及び容器の入力が済んだか否かを判断する。第１ＰＯＳ端末２０−１は、図９（Ａ）に示す複数の惣菜の中の商品の一つ及び複数の容器の一つを選択し、選択した商品及び容器の情報が入力されたかを判断する。第１ＰＯＳ端末２０−１は、商品及び容器の情報が入力された場合、ステップＳ３０６に進み、商品及び容器の情報が入力されていない場合、ステップＳ３０５の処理を繰り返す。
【０１４６】
ステップＳ３０６：第１ＰＯＳ端末２０−１は、商品登録画面を表示する。第１ＰＯＳ端末２０−１は、例えば、図１０（Ａ）に示すように、商品登録が済んだ商品及びその金額（重量）が記入された情報を含む商品登録画面を店員側表示部２１０に表示する。
ステップＳ３０７：第１ＰＯＳ端末２０−１は、店員が商品等のスキャンを行ったか否かを判断する。第１ＰＯＳ端末２０−１は、店員が商品等のスキャンを行った場合、ステップＳ３０８に進み、店員が商品等のスキャンを行わなかった場合、ステップＳ３０９に進む。
ステップＳ３０８：第１ＰＯＳ端末２０−１は、スキャンされた商品の登録を行う。
【０１４７】
ステップＳ３０９：第１ＰＯＳ端末２０−１は、商品指定ボタン操作信号を受信したか否かを判断する。第１ＰＯＳ端末２０−１は、店員側商品指定ボタン４１が店員の操作を受け付けた際にＰＯＳ端末２０に送信する商品指定ボタン操作信号を受信したか否かを判断する。なお、第１ＰＯＳ端末２０−１は、このときに客側商品指定ボタン４２が操作されて送信された商品指定ボタン操作信号を受信したとしても、商品指定ボタン操作信号を受信していないと判断する。要は、動作モードに応じた商品指定ボタンから送信された商品指定ボタン操作信号を受信したときに、商品指定ボタン操作信号を受信したと判断する。
ステップＳ３１０：第１ＰＯＳ端末２０−１は、メッセージ画像を表示する。第１ＰＯＳ端末２０−１は、店員側表示部２１０に、図１７（Ａ）に示す第５メッセージ画像ＭＧ１５を表示する。第５メッセージ画像ＭＧ１５には、指定商品登録ボタンとなるＯＫボタンＢＴ６１が含まれている。
【０１４８】
ステップＳ３１１：第１ＰＯＳ端末２０−１は、指定商品登録ボタンが押下されたか否かを判断する。第１ＰＯＳ端末２０−１は、第５メッセージ画像ＭＧ１５に含まれるＯＫボタンＢＴ７１が押下操作されたか否かを判断する。第１ＰＯＳ端末２０−１は、ＯＫボタンＢＴ７１が操作されたと判断した場合には、ステップＳ３１２に進む。第１ＰＯＳ端末２０−１は、ＯＫボタンＢＴ７１が操作されていないと判断した場合には、ステップＳ３１１の処理を繰り返す。
ステップＳ３１２：第１ＰＯＳ端末２０−１は、店員側表示部２１０に表示していたメッセージ画像（第５メッセージ画像ＭＧ１５）を消去する。
ステップＳ３１３：第１ＰＯＳ端末２０−１は、小計ボタンが押下されたか否かを判断する。第１ＰＯＳ端末２０−１は、店員によって図１０（Ａ）に示す小計ボタンＢＴ１０が押下操作されたか否かを判断する。第１ＰＯＳ端末２０−１は、小計ボタンＢＴ１０が押下操作されていないと判断した場合、ステップＳ３０３に戻って処理を繰り返す。第１ＰＯＳ端末２０−１は、小計ボタンＢＴ１０が押下操作されたと判断した場合図１９に示す処理を終了する。
【０１４９】
次に、図１８のステップＳ２０４における動作モードがフルセルフモードであるときの登録処理について、図２０を参照して説明する。
ステップＳ４０１：第１ＰＯＳ端末２０−１は、客が商品の登録を開始したか否かを判断する。第１ＰＯＳ端末２０−１は、例えば、図１２（Ａ）に示す登録スタートボタンＢＴ３０が操作されたか否かによって商品の登録を開始したか否かを判断する。第１ＰＯＳ端末２０−１は、商品の登録が開始された場合、ステップＳ４０２に進み、商品の登録が開始されていない場合、ステップＳ４０１の処理を繰り返す。
ステップＳ４０２：第１ＰＯＳ端末２０−１は、客側表示部２０５に商品登録画面を表示する。具体的には、第１ＰＯＳ端末２０−１は、図１２（Ｂ）に示す登録画像を客側表示部２０５に表示する。なお、商品の登録が行われる前は、図１２（Ｂ）に示す「お茶」「大福餅」などの商品及びそれらの金額等は表示されていない状態となる。
【０１５０】
ステップＳ４０３：第１ＰＯＳ端末２０−１は、計量装置３０に商品あるか否かを判断する。第１ＰＯＳ端末２０−１は、商品が載置された計量装置３０から、計量した商品の重量の情報が送信されているか否かに基づいて判断する。第１ＰＯＳ端末２０−１は、計量装置３０に商品がある場合には、ステップＳ４０４に進み、計量装置３０に商品がない場合には、ステップＳ４０９に進む。ここでは、動作モードがフルセルフモードであるので、計量装置３０では、通常、客側計量装置３２に客が商品を載置する。このため、計量装置３０に商品を載置した操作主体は客となる。第１ＰＯＳ端末２０−１は、動作モードがフルセルフモードであるときには、操作主体は客であると判別する。また、操作主体が客となることを考慮して、ここでは、客側計量装置３２から重量情報が送信されたときに、計量装置３０に商品があり、店員側計量装置３１から重量情報が送信されたときには、計量装置３０に商品がないと判断するようにしてもよい。
ステップＳ４０４：第１ＰＯＳ端末２０−１は、計量商品説明表示を行う。第１ＰＯＳ端末２０−１は、計量商品説明表示として、図１４（Ａ）に示す第１メッセージ画像ＭＧ１１を客側表示部２０５に表示する。このとき、第１ＰＯＳ端末２０−１は、第１メッセージ画像ＭＧ１１に合わせて、ＯＫボタンＢＴ４１及び戻るボタンＢＴ４２も客側表示部２０５に表示する。
【０１５１】
ステップＳ４０５：第１ＰＯＳ端末２０−１は、ＯＫボタンＢＴ４１が押下されたか否かを判断する。第１ＰＯＳ端末２０−１は、ＯＫボタンＢＴ４１が客によって押下操作されたか否かを判断する。第１ＰＯＳ端末２０−１は、ＯＫボタンＢＴ４１が押下された場合には、ステップＳ４０６に進み、ＯＫボタンＢＴ４１が押下されていない場合には、ステップＳ４０５の処理を繰り返す。
ステップＳ４０６：第１ＰＯＳ端末２０−１は、計量商品登録画面を表示する。第１ＰＯＳ端末２０−１は、計量商品登録画面として、図１４（Ｂ）に示す画面を客側表示部２０５に表示する。
【０１５２】
ステップＳ４０７：第１ＰＯＳ端末２０−１は、商品及び容器の入力が済んだか否かを判断する。第１ＰＯＳ端末２０−１は、図１４（Ｂ）に示す画面から、商品及び容器が客によって選択され、選択された商品及び容器の情報が入力されたか否かを判断する。第１ＰＯＳ端末２０−１は、商品及び容易の入力が済んだと判断した場合には、ステップＳ４０８に進み、商品及び容易の入力が済んでいないと判断した場合には、ステップＳ４０７の処理を繰り返す。
ステップＳ４０８：第１ＰＯＳ端末２０−１は、商品登録画面を表示する。第１ＰＯＳ端末２０−１は、図１６に示す画面を商品登録画面として客側表示部２０５に表示する。
【０１５３】
ステップＳ４０９：第１ＰＯＳ端末２０−１は、客が商品等のスキャンを行ったか否かを判断する。第１ＰＯＳ端末２０−１は、客が商品等のスキャンを行った場合、ステップＳ４１０に進み、店員が商品等のスキャンを行わなかった場合、ステップＳ４１１に進む。
ステップＳ４１０：第１ＰＯＳ端末２０−１は、スキャンされた商品の登録を行う。
【０１５４】
ステップＳ４１１：：第１ＰＯＳ端末２０−１は、商品指定ボタン操作信号を受信したか否かを判断する。第１ＰＯＳ端末２０−１は、客側商品指定ボタン４２が客の操作を受け付けた際にＰＯＳ端末２０に送信する商品指定ボタン操作信号を受信したか否かを判断する。なお、第１ＰＯＳ端末２０−１は、このときに店員側商品指定ボタン４１が操作されて送信された商品指定ボタン操作信号を受信したとしても、商品指定ボタン操作信号を受信していないと判断する。
ステップＳ４１２：第１ＰＯＳ端末２０−１は、店員呼出画面を表示する。第１ＰＯＳ端末２０−１は、客側表示部２０５に、図１７（Ｂ）に店員呼出画面を表示する。店員呼出画面には、呼出ボタンＢＴ７３が含まれている。
ステップＳ４１３：第１ＰＯＳ端末２０−１は、呼出ボタンＢＴ７３が操作されたか否かを判断する。第１ＰＯＳ端末２０−１は、店員呼出画面に含まれる呼出ボタンＢＴ７３が押下操作されたか否かを判断する。第１ＰＯＳ端末２０−１は、呼出ボタンＢＴ７３が操作されたと判断した場合には、ステップＳ３１２に進む。第１ＰＯＳ端末２０−１は、呼出ボタンＢＴ７３が操作されていないと判断した場合には、ステップＳ４１３の処理を繰り返す。
ステップＳ４１４：第１ＰＯＳ端末２０−１は、店員の呼び出しを行う。
ステップＳ４１５：第１ＰＯＳ端末２０−１は、商品登録画面を客側表示部２０５に表示する。このときの商品登録画面には、表示商品の商品名及び価格が加えられる。このため、例えば図１２（Ｂ）に示す画面が表示されているときに表示商品（アイスクリーム）の登録が行われたときには、商品登録画面アイスクリーム店員呼出画面が消去された後、商品登録画面が表示されるときに、アイスクリームの名称及びその価格が表示される。
ステップＳ４１６：お会計ボタンが押下されたか否かを判断する。第１ＰＯＳ端末２０−１は、客によって図１６に示すお会計ボタンＢＴ３２が押下操作されたか否かを判断する。第１ＰＯＳ端末２０−１は、お会計ボタンＢＴ３２が押下操作されていないと判断した場合、ステップＳ４０３に戻って処理を繰り返す。第１ＰＯＳ端末２０−１は、お会計ボタンＢＴ３２が押下操作されたと判断した場合、図２０に示す処理を終了する。
【０１５５】
次に、図１８のステップＳ２０５における、計量装置参照動作モード設定処理について、図２１を参照して説明する。
ステップＳ５０１：第１ＰＯＳ端末２０−１は、商品登録中であるか否かを判断する。第１ＰＯＳ端末２０−１は、商品登録中であると判断した場合、そのまま図２１に示す処理を終了し、商品登録中でないと判断した場合には、ステップＳ５０２に進む。
ステップＳ５０２：第１ＰＯＳ端末２０−１は、店員側計量装置３１に商品が載置されているか否かを判断する。第１ＰＯＳ端末２０−１は、店員側計量装置３１から重量情報が送信されているか否かに基づいて商品が載置されているか否かを判断する。第１ＰＯＳ端末２０−１は、店員側計量装置３１に商品が載置されていると判断した場合、ステップＳ５０３に進み、店員側計量装置３１に商品が載置されていないと判断した場合、ステップＳ５０６に進む。
【０１５６】
ステップＳ５０３：第１ＰＯＳ端末２０−１は、現在の動作モードが通常モードまたは登録専用モード（セミセルフモード）であるか否かを判断する。第１ＰＯＳ端末２０−１は、現在の動作モードが通常モードまたは登録専用モード（セミセルフモード）である場合、ステップＳ５０４に進み、通常モードまたは登録専用モード（セミセルフモード）でない場合、ステップＳ５０５に進む。
ステップＳ５０４：第１ＰＯＳ端末２０−１は、現在の動作モードをそのまま維持する。
ステップＳ５０５：第１ＰＯＳ端末２０−１は、動作モードを通常モードに切り替える。
【０１５７】
ステップＳ５０６：第１ＰＯＳ端末２０−１は、客側計量装置３２に商品が載置されているか否かを判断する。第１ＰＯＳ端末２０−１は、客側計量装置３２から重量情報が送信されているか否かに基づいて商品が載置されているか否かを判断する。第１ＰＯＳ端末２０−１は、客側計量装置３２に商品が載置されていると判断した場合、ステップＳ５０７に進み、店員側計量装置３１に商品が載置されていないと判断した場合、そのまま図２１に示す処理を終了する。
ステップＳ５０７：第１ＰＯＳ端末２０−１は、現在の動作モードがフルセルフモードであるか否かを判断する。第１ＰＯＳ端末２０−１は、現在のフルセルフモードである場合、ステップＳ５０８に進み、フルセルフモードでない場合、ステップＳ５０５に進む。
ステップＳ５０８：第１ＰＯＳ端末２０−１は、現在の動作モードをそのまま維持する。その後、図２１に示す処理を終了する。
ステップＳ５０９：第１ＰＯＳ端末２０−１は、動作モードをフルセルフモードに切り替える。その後、図２１に示す処理を終了する。
【０１５８】
以上のように、上記のＰＯＳ端末２０では、計量装置３０の操作主体が店員であるか客であるかによって、ＰＯＳ端末２０における処理が異なる。このため、操作主体に応じた適切な処理を行うことができる。具体的には、通常モードまたは登録専用モードのときに、計量装置３０の操作主体が店員である場合には、図９（Ａ）に示す計量商品登録画面が店員側表示部２１０に表示され、フルセルフモードのときに、計量装置３０の操作主体が客である場合には、図１４（Ａ）に示す第１メッセージ画像ＭＧ１１が計量商品説明として客側表示部２０５に表示される。このため、計量装置３０を操作した操作主体が店員であるときには、店員が見る店員側表示部２１０に表示がなされ、計量装置３０を操作した操作主体が客であるときには、客が見る客側表示部２０５に表示がなされる。このため、操作主体が操作しやすい表示を行うことができる。また、通常モードまたは登録専用モードでは、店員が操作しやすいような計量商品登録画面が表示され、フルセルフモードでは、登録処理に不慣れな客が操作しやすいように第１メッセージ画像ＭＧ１１が計量商品説明として表示される。このため、操作主体に適した表示を行うことができる。
【０１５９】
また、上記のＰＯＳ端末２０では、動作モードに応じて計量装置３０の操作主体を判別している。このため、計量装置３０の操作主体を正確に判別することができる。なお、操作主体の判別にあたっては、実際の操作した操作主体である必要はなく、操作主体となりえる者を判別できるようにすればよい。例えば、フルセルフモードの際に客に代わって店員が商品を計量装置３０に載置したとしても、本来の操作主体（想定される操作主体）は客であるので、計量装置３０の操作主体は客であると判別してよい。
【０１６０】
また、上記のＰＯＳ端末２０では、計量装置３０として、店員側計量装置３１と客側計量装置３２とが設けられている。このため、計量商品の計量を店員及び客のいずれもが容易に行うことができ、計量商品について効率的に処理をすることができる。また、計量装置３０の操作主体の判別に役立てることもできる。
【０１６１】
また、上記のＰＯＳ端末２０では、商品名が表示されて、店員等が用意する表示商品を指定するボタンとして、店員が操作する店員側商品指定ボタン４１及び客が操作する客側商品指定ボタン４２が設けられている。ＰＯＳ端末２０は、商品指定ボタン操作信号が店員側商品指定ボタン４１と客側商品指定ボタン４２のいずれから送信されたかに基づいて、異なる画面を店員側表示部２１０に表示する。このため、表示商品の登録の際をスムーズに行うことができる。
【０１６２】
なお、上記の例では計量装置３０の操作主体を動作モードに基づいて判別しているが、他の手段によって判別するようにしてもよい。例えば、店員側計量装置３１と客側計量装置３２のいずれに商品が載置されるかによって操作主体を判別し、店員側計量装置３１に商品が載置された場合の操作主体を店員、客側計量装置３２に商品が載置された場合の操作主体を客と判別するようにしてもよい。また、カメラ等の撮像装置によってＰＯＳ端末２０の近傍を撮影し、撮影された画像から操作主体を判別するようにしてもよい。これらの判別態様によっても計量装置３０の操作主体を容易に判別できる。
【０１６３】
また、上記の例では、すべてのＰＯＳ端末２０の近傍に計量装置３０が設けられているが、近傍に計量装置３０が設けられていないＰＯＳ端末２０があってもよい。この場合、例えば、重量情報を他のＰＯＳ端末２０に送信できるようにしてもよい。例えば、第１ＰＯＳ端末２０−１の近傍には計量装置３０が設けられ、第２ＰＯＳ端末２０−２及び第３ＰＯＳ端末２０−３の近傍には、計量装置３０が設けられていないようにしてもよい。この場合、例えば計量装置３０で計量した重量情報を、店員または客が指定した第２ＰＯＳ端末２０−２や第３ＰＯＳ端末２０−３に送信できるようにしてもよい。
【０１６４】
また、上記の例では、計量装置３０として店員側計量装置３１と客側計量装置３２の２つを設けているが、１つの計量装置としてもよい。この場合の計量装置の操作主体は、例えば、ＰＯＳ端末２０の動作モードに基づいて行ってもよいし、客や店員を検出するセンサを設けてこのセンサの検出結果に基づいて行ってもよい。
【０１６５】
また、上記の例では、計量装置３０には表示装置が設けられていないが、表示装置が設けられていてもよい。また、計量装置としては、店員側のみ、客側のみ、あるいは店員側と客側の両方に表示装置が設けられていてもよいし、店員側と客側のいずれも向くように方向を切り替えることが可能な表示装置が設けられていてもよい。計量装置に設けられる表示装置には、ＰＯＳ端末２０における客側表示部２０５及び店員側表示部２１０いずれか一方または両方の表示内容と同じ内容の表示が行われてもよいし、異なる表示が行われてもよい。あるいは、一部が同じ内容となる表示が行われてもよい。また、計量装置の向きまたは計量装置に設けられた表示装置の向きが変えられるなど、計量装置の使用態様が店員用と客用とで異なる場合には、使用が想定される計量装置の態様によって計量装置の操作主体を判別するようにしてもよい。
【０１６６】
また、上記の例では、通常モードまたは登録専用モードの際には操作主体が店員、フルセルフモードの際には操作主体が客としているが、他のモードについても操作主体を決定できるようにしてもよい。例えば、店員側の客側の両側にて登録処理を行うダブルスキャンモードでは、操作主体を店員としてもよいし、客としてもよい。あるいは、ダブルスキャンモードでは、登録主体を店員及び客の両方として、登録主体が店員及び客の両方である場合の専用の表示などを設けるようにしてもよい。
【０１６７】
なお、上記実施形態は、一例であって具体的な構成は上記実施形態に限られるものではなく、発明の要旨を逸脱しない範囲の設計等も含まれる。
【０１６８】
例えば、上記実施形態では、ＰＯＳ端末２０は、３種類の動作モード（通常モード、フルセルフモード、セミセルフモード）を有しているが、これらの動作モードのうちの１つ以上を有するものでもよい。例えば、ＰＯＳ端末は、通常モードまたはセミセルフモードのみで動作するものでもよいし、通常モードとフルセルフモードまたはセミセルフモードで動作するものでもよいし、セミセルフモードとフルセルフモードで動作するものでもよい。また、セミセルフモードで作動する際には、登録専用モードでのみ作動するものでもよいし、会計専用モードでのみ作動するものでもよいし、登録専用モード及び会計専用モードの両方のモードを切り替えて利用できるものでもよい。
【０１６９】
なお、動作モードを切り替えるモード切替ボタン２１１ａ等はハードウェアキーであるが、ハードウェアキーに代えて又は加えて、表示部（店員側表示部２１０等）に表示されるソフトウェアキーによって動作モードが切り替わるようにしてもよい。つまり、モード切替ボタン２１１ａに代えて又は加えて、モード切替ボタン２１１ａに相当するソフトウェアキーを表示してもよい。動作モードの夫々に対応する数のモード切替ボタンを用意する場合の各ボタンについても同様である。
【０１７０】
また、上記実施形態では、ＰＯＳ端末２０は、店員側から客側、客側から店員側に向きを回転自在に変更可能な１台の印刷部２１３を備えるが（図２〜図４参照）、１台の印刷部２１３に代えて２台の印刷部（店員側に固定的に向けられた印刷部、客側に固定的に向けられた印刷部）を備えるようにしてもよい。
【０１７１】
なお、上記実施形態では、登録情報を他端末に送信する場合に、店員は登録情報の送信先（宛先）の端末を指定（選択）したが、登録情報を他端末に送信する場合に、店員は登録情報の送信先の端末を指定せずに送信する旨だけを指定してもよい。つまり、単に送信ボタンだけを配置するようにしてもよい。店員が登録情報の送信先の端末を指定せずに送信する旨だけを指定する態様では、送信側の端末が、所定の優先順位に従って宛先となる一の端末を選択し、選択した端末に登録情報を送信する。計量装置３０から重量情報をＰＯＳ端末２０に送信する場合も同様である。
【０１７２】
上記所定の優先順位は、例えば第１ＰＯＳ端末２０−１から他端末（第２ＰＯＳ端末２０−２、第３ＰＯＳ端末２０−３）に登録情報を送信する場合、フルセルフモードの第３ＰＯＳ端末２０−３の方が通常モードの第２ＰＯＳ端末２０−２よりも高くなるようにしてもよい（フルセルフモードの第３ＰＯＳ端末２０−３に優先的に登録情報が送信されるようにしてもよい）。
【０１７３】
以下に、付記１〜７を開示する。
（付記１）
店員による商品の登録及び客による商品の登録が可能な登録部と、
商品の重量を計量する計量部と、
前記登録部の操作主体を判別する判別部と、
前記判別部による判別結果に基づいて、前記計量部の操作態様が異なる制御を行う制御部と、
を備えることを特徴とする商品販売データ処理装置。
【０１７４】
付記１の構成によれば、量り売りの商品について、効率的に処理をすることができる。
【０１７５】
（付記２）
前記登録部は、
動作モードとして、店員が商品の登録を行う第１モードと、客が商品の登録を行う第２モードと、を備えており、
前記判別部は、前記登録部の動作モードに基づいて、前記登録部の操作主体を判別する付記１に記載の商品販売データ処理装置。
【０１７６】
付記２の構成によれば、登録主体を正確に判別できる。
【０１７７】
（付記３）
前記計量部は、
店員側に配置された第１計量部と、
客側に配置された第２計量部と、
を備える請求項１に記載の商品販売データ処理装置。
【０１７８】
付記３の構成によれば、量り売りの商品について、効率的に処理をすることができる。
【０１７９】
（付記４）
前記判別部は、第１計量部と第２計量部のいずれにおいて商品の計量が行われるかに基づいて、前記登録部の操作主体を判別する付記２に記載の商品販売データ処理装置。
【０１８０】
付記４の構成によれば、登録主体を容易に判別できる。
【０１８１】
（付記５）
商品名を表示するとともに、商品名が表示された商品を登録候補に指定する商品指定部として、店員が操作する店員側商品指定部と客が操作する客側商品指定部と、をさらに備え、
前記店員側商品指定部による商品の指定と前記客側商品指定部による商品の指定とによって、前記登録部の動作を異ならせる付記１〜４のうちのいずれかに記載の商品販売データ処理装置。
【０１８２】
付記５の構成によれば、指定を要する特別な商品についても、効率的に処理をすることができる。
【０１８３】
（付記６）
店員による商品の登録及び客による商品の登録が可能な複数の登録部と、
商品の重量を計量する計量部と、
前記登録部の操作主体を判別する判別部と、
前記判別部による判別結果に基づいて、前記計量部の操作態様が異なる制御を行う制御部と、
前記登録部によって登録された商品の精算を行う複数の精算部と、
を備えることを特徴とする商品販売データ処理システム。
【０１８４】
付記６の構成によれば、量り売りの商品について、効率的に処理をすることができる。
【０１８５】
（付記７）
コンピュータを、
店員による商品の登録及び客による商品の登録が可能な登録手段、
前記登録手段の操作主体を判別する判別手段、
前記判別手段による判別結果に基づいて、商品の重量を計量する計量部の操作態様が異なる制御を行う制御手段、
として機能させるためのプログラム。
【０１８６】
付記７の構成によれば、量り売りの商品について、効率的に処理をすることができる。
【０１８７】
なお、以上に説明したＰＯＳシステム１、ＰＯＳ端末２０を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１８８】
１…ＰＯＳシステム
１０…ストアコントローラ
２０…ＰＯＳ端末
２０１…ＣＰＵ
２０２…ＲＯＭ
２０３…ＲＡＭ
２０４…ハードディスク
２０５…客側表示部
２０６…客側スキャナ部
２０８…カード決済部
２０９…釣銭機
２１０…店員側表示部
２１１…キー操作部
２１１ａ…モード切替ボタン
２１２…店員側スキャナ部
２１３…印刷部
２１４…音声出力部
２１５…通信部
【図１】
2020004118.tif 000003
【図２】
2020004118.tif 000004
【図３】
2020004118.tif 000005
【図４】
2020004118.tif 000006
【図５】
2020004118.tif 000007
【図６】
2020004118.tif 000008
【図７】
2020004118.tif 000009
【図８】
2020004118.tif 000010
【図９】
2020004118.tif 000011
【図１０】
2020004118.tif 000012
【図１１】
2020004118.tif 000013
【図１２】
2020004118.tif 000014
【図１３】
2020004118.tif 000015
【図１４】
2020004118.tif 000016
【図１５】
2020004118.tif 000017
【図１６】
2020004118.tif 000018
【図１７】
2020004118.tif 000019
【図１８】
2020004118.tif 000020
【図１９】
2020004118.tif 000021
【図２０】
2020004118.tif 000022
【図２１】
2020004118.tif 000023